(57)【要約】【課題】湾曲した外壁面に沿った方向に並ぶように足場板を設ける場合に、足場板と外壁面との間の隙間及び隣合う足場板の間の隙間が小さくなるようにする。【解決手段】足場板１は、足場板本体１０と、調整板材２０、３０と、調整板材２０、３０を足場板本体１０に対して上下方向に延びる軸周りに連結する連結部材４１と、調整板材２０、３０に設けられる係合フック２１、３１とを備えている。【選択図】図１
2020204210.tif 000002
【特許請求の範囲】
【請求項１】
仮設足場用建枠を構成する一対の布材間に掛け渡されて各種作業を行うための作業床となる足場板において、
一対の前記布材の離間方向に長い足場板本体と、
前記足場板本体の長さ方向両側にそれぞれ配置される調整板材と、
前記調整板材を前記足場板本体に対して上下方向に延びる軸周りに回動可能に連結する連結部材と、
前記調整板材における前記足場板本体に連結される側とは反対側に設けられ、前記布材に係合する係合フックとを備えていることを特徴とする足場板。
【請求項２】
請求項１に記載の足場板において、
前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、
前記連結部材は、前記上板部及び前記下板部と、前記足場板本体とを上下方向に貫通する貫通軸を有していることを特徴とする足場板。
【請求項３】
請求項２に記載の足場板において、
前記上板部及び前記下板部には、それぞれ前記貫通軸周りに延びる長孔が形成されており、
前記上板部の前記長孔と、前記下板部の前記長孔とに挿通される挿通軸を備え、当該挿通軸が前記足場板本体に保持されていることを特徴とする足場板。
【請求項４】
請求項３に記載の足場板において、
前記挿通軸の基端部には、前記上板部の上面に沿うフランジ形状部が設けられ、
前記挿通軸の先端部は、前記下板部の下方へ突出するように形成されたねじ軸で構成され、
前記挿通軸の前記ねじ軸にはナットが螺合することを特徴とする足場板。
【請求項５】
請求項２から４のいずれか１つに記載の足場板において、
前記足場板本体の長さ方向一側縁部と他側縁部は、前記足場板本体の幅方向一側に向かって互いに接近するように形成されていることを特徴とする足場板。
【請求項６】
請求項４に記載の足場板において、
前記連結部材の前記貫通軸の基端部には、前記調整板材の前記上板部の上面に沿うフランジ形状部が設けられ、
前記貫通軸の先端部は、前記下板部の下方へ突出するように形成されたねじ軸で構成され、
前記貫通軸の前記ねじ軸にはナットが螺合することを特徴とする足場板。
【請求項７】
請求項２から６のいずれか１つに記載の足場板において、
前記調整板材の前記下板部の下面には、下方へ突出して該下面に沿って延びる補強材が固定されていることを特徴とする足場板。
【発明の詳細な説明】
【技術分野】
【０００１】
本発明は、仮設足場を構築する際に使用される足場板に関するものである。
【背景技術】
【０００２】
従来より、各種建築物の建設作業現場では、作業を行うための足場として仮設足場が構築されている。仮設足場を構築するための仮設足場用建枠は、鋼材からなる複数本の支柱を建築物の外壁面に沿った方向に並ぶように設けるとともに、建築物の外壁面に垂直な方向に並ぶように設け、さらに、布材によって隣合う支柱を連結することによって構成されている。建築物の外壁面に垂直な方向に延びるように設けられる布材に足場板が取り付けられて仮設足場が構築される。
【０００３】
例えば特許文献１〜３に開示されているように、足場板は、足場板本体と、足場板本体の両側に設けられるフックとを備えている。フックを上方から布材に係合させることによって足場板本体を布材に掛け渡すようにして固定することができる。
【先行技術文献】
【特許文献】
【０００４】
【特許文献１】特開２０１７−６６６９７号公報
【特許文献２】実用新案登録第３１７９１６４号公報
【特許文献３】特開２０１９−１５０６７号公報
【発明の概要】
【発明が解決しようとする課題】
【０００５】
ところで、図１２に示すように、建築物１００が円筒状のタンクのようなものの場合、建築物１００の外壁面は円弧状に湾曲することになる。しかしながら、特許文献１〜３に開示されているように、足場板１０１は、直線状に延びているものなので、円弧状の外壁面に沿うように配設するのが困難である。実際の現場では、平面視で、円弧状の外壁面を囲む多角形の各辺を構成するように、直線状の足場板１０１を配設することで対応している。
【０００６】
ところが、そのようにした場合、足場板１０１の長さ方向中央部が外壁面に最も接近し、足場板１０１の長さ方向両端に近づくほど外壁面から離れることになり、建築物１００との隙間が大きくなる懸念がある。建築物１００との隙間を小さくするためには長さの短い足場板１０１を用意すればよいが、足場板１０１の長さは規格によって予め決められており、自由に設定するのは困難であるとともに、足場板１０１を短くすると、支柱の間隔も短くしなければならず、部材数が大幅に増加してしまう。
【０００７】
また、図１２に示すように、直線状の足場板１０１を多角形状に並べた場合、隣合う足場板１０１、１０１の対向する縁部１０１ａ、１０１ａの隙間が大きくなるという問題もあった。
【０００８】
本発明は、かかる点に鑑みてなされたものであり、その目的とするところは、湾曲した外壁面に沿った方向に並ぶように足場板を設ける場合に、足場板と外壁面との間に形成される隙間及び隣合う足場板の間に形成される隙間が小さくなるようにすることにある。
【課題を解決するための手段】
【０００９】
上記目的を達成するために、本発明では、足場板本体の長さ方向一側に対して角度調整可能に取り付けられる調整板材を設け、調整板材に、布材に係合する係合フックを取り付けるようにした。
【００１０】
第１の発明は、仮設足場用建枠を構成する一対の布材間に掛け渡されて各種作業を行うための作業床となる足場板において、一対の前記布材の離間方向に長い足場板本体と、前記足場板本体の長さ方向両側にそれぞれ配置される調整板材と、前記調整板材を前記足場板本体に対して上下方向に延びる軸周りに回動可能に連結する連結部材と、前記調整板材における前記足場板本体に連結される側とは反対側に設けられ、前記布材に係合する係合フックとを備えていることを特徴とする。
【００１１】
この構成によれば、調整板材を足場板本体に対して回動させることにより、足場板本体と調整板材とのなす角度が変化するので、例えば外壁面が湾曲している場合に、その曲率に合うように、足場板本体と調整板材とのなす角度を調整することが可能になる。そして、調整板材の係合フックを布材に係合させることで、足場板が一対の布材間に掛け渡されて各種作業を行うための作業床が構築される。このとき、湾曲した外壁面の曲率に合うように足場板本体と調整板材とのなす角度を調整しておけば、足場板と外壁面との間に形成される隙間が小さくなるとともに、隣合う足場板の間に形成される隙間も小さくなる。
【００１２】
第２の発明は、前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、前記連結部材は、前記上板部及び前記下板部と、前記足場板本体とを上下方向に貫通する貫通軸を有していることを特徴とする。
【００１３】
この構成によれば、足場板本体の上面に調整板材の上板部が配置され、足場板本体の下面に調整板材の下板部が配置された状態で、連結部材の貫通軸が上板部及び下板部と、足場板本体とを上下方向に貫通する。これにより、調整板材の上板部及び下板部によって足場板本体が厚み方向に挟まれた状態で連結される。
【００１４】
第３の発明は、前記上板部及び前記下板部には、それぞれ前記貫通軸周りに延びる長孔が形成されており、前記上板部の前記長孔と、前記下板部の前記長孔とに挿通される挿通軸を備え、当該挿通軸が前記足場板本体に保持されていることを特徴とする。
【００１５】
この構成によれば、調整板材を足場板本体に対して回動させると、回動方向の一端において長孔の周縁部と挿通軸とが当接して一端側の回動角度が設定され、また、回動方向の他端において長孔の周縁部と挿通軸とが当接して他端側の回動角度が設定される。したがって、調整板材の足場板本体に対する回動角度が長孔によって設定される。
【００１６】
第４の発明は、前記挿通軸の基端部には、前記上板部の上面に沿うフランジ形状部が設けられ、前記挿通軸の先端部は、前記下板部の下方へ突出するように形成されたねじ軸で構成され、前記挿通軸の前記ねじ軸にはナットが螺合することを特徴とする。
【００１７】
この構成によれば、挿通軸のねじ軸にナットを螺合させることにより、調整板材の上板部及び下板部が足場板本体に締結される。このとき、上板部の上面にはねじ軸及びナットが無く、上板部の上面に沿うフランジ形状部が位置しているので、作業者の邪魔になりにくい。
【００１８】
第５の発明は、前記足場板本体の長さ方向一側縁部と他側縁部は、前記足場板本体の幅方向一側に向かって互いに接近するように形成されていることを特徴とする。
【００１９】
この構成によれば、調整板材を貫通軸周りに回動させる際の回動範囲が大きく確保される。
【００２０】
第６の発明は、前記連結部材の前記貫通軸の基端部には、前記調整板材の前記上板部の上面に沿うフランジ形状部が設けられ、前記貫通軸の先端部は、前記下板部の下方へ突出するように形成されたねじ軸で構成され、前記貫通軸の前記ねじ軸にはナットが螺合することを特徴とする。
【００２１】
この構成によれば、連結部材の貫通軸のねじ軸にナットを螺合させることにより、調整板材の上板部及び下板部が足場板本体に締結される。このとき、上板部の上面にはねじ軸及びナットが無く、上板部の上面に沿うフランジ形状部が位置しているので、作業者の邪魔になりにくい。また、挿通軸と、連結部材の貫通軸との両方で締結されるので、調整板材の足場板本体に対する固定強度が高まる。
【００２２】
第７の発明は、前記調整板材の前記下板部の下面には、下方へ突出して該下面に沿って延びる補強材が固定されていることを特徴とする。
【００２３】
この構成によれば、調整板材の下板部が補強材によって補強される。この補強材が調整板材の下板部の下面から突出することになるので、調整板材の回動時に補強材が足場板本体と干渉することはない。
【発明の効果】
【００２４】
第１の発明によれば、足場板本体に対して上下方向に延びる軸周りに回動可能に連結される調整板材を設け、この調整板材における足場板本体に連結される側とは反対側に係合フックを設けたので、湾曲した外壁面に沿った方向に並ぶように足場板を設ける場合に、足場板と外壁面との間の隙間及び隣合う足場板の間の隙間を小さくすることができる。
【００２５】
第２の発明によれば、足場板本体を厚み方向に挟むようにして調整板材を連結することができるので、調整板材と足場板本体との連結部分の強度を十分に高めることができる。
【００２６】
第３の発明によれば、調整板材の上板部及び下板部に形成した長孔により、調整板材の足場板本体に対する回動角度を設定することができる。
【００２７】
第４の発明によれば、挿通軸の基端部に、上板部の上面に沿うフランジ形状部を設け、挿通軸の先端部をナットが螺合するねじ軸で構成したので、作業者の邪魔にならないようにしながら、調整板材の上板部及び下板部を足場板本体に締結して固定することができる。
【００２８】
第５の発明によれば、足場板本体の長さ方向一側縁部及び他側縁部を、足場板本体の幅方向一側に向かって互いに接近するように形成したことで、調整板材の回動範囲を広く確保することができる。
【００２９】
第６の発明によれば、作業者の邪魔にならないようにしながら、調整板材の足場板本体に対する固定強度を十分に高めることができる。
【００３０】
第７の発明によれば、調整板材の回動時に補強材が足場板本体と干渉しないようにしながら、調整板材の強度を高めることができる。
【図面の簡単な説明】
【００３１】
【図１】本発明の実施形態に係る足場板を上方から見た斜視図である。
【図２】足場板の平面図である。
【図３】足場板の正面図である。
【図４】足場板の分解斜視図である。
【図５】足場板本体の平面図である。
【図６】調整板材の正面図である。
【図７】調整板材を回動させた状態の図２相当図である。
【図８】実施形態の変形例に係る図１相当図である。
【図９】幅が異なる２種類の足場板を建築物の外壁面に垂直な方向に並ぶように設けた場合を示す平面図である。
【図１０】４つの足場板を外壁面に垂直な方向に並ぶように設けた場合を示す平面図である。
【図１１】外壁面の曲率が大きい場合の図１０相当図である。
【図１２】従来の足場板を円弧状に湾曲した外壁面に沿って並べた場合を示す平面図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３３】
図１は、本発明の実施形態に係る足場板１の斜視図であり、図２は、足場板１の平面図である。足場板１は、例えば図１０に示す仮設足場用建枠Ａを構成する一対の布材２０１、２０１間に掛け渡されて各種作業を行うための作業床となる仮設足場構築部材である。足場板１は、図９に示すように、建築物１００の外壁面が円弧状に湾曲している場合に使用することができるが、このような建築物１００以外にも平坦な外壁面を有する建築物（図示せず）等にも使用することができる。作業床で行う作業としては、特に限定されるものではないが、例えば塗装、溶接、部材の組付や取付、測定、検査、点検等の各種作業を挙げることができる。
【００３４】
（足場板１の全体構成）
図１〜図４に示すように、足場板１は、一対の布材２０１、２０１（図９に示す）の離間方向に長い足場板本体１０と、足場板本体１０の長さ方向両側（一側及び他側）にそれぞれ配置される一側調整板材２０及び他側調整板材３０とを備えている。足場板本体１０の一側を図１等の左側とし、足場板本体１０の他側を図１等の右側とし、また、図２の下側を足場板本体１０の手前側とし、図２の上側を足場板本体１０の奥側とするが、これは説明の便宜を図るために定義するだけであり、実際の使用時の姿勢を限定するものではない。使用時にはどちら側が左であってもよいし、手前側や奥側も任意に設定することができる。また、手前側を正面側ということもでき、奥側を背面側ということもできる。また、足場板本体１０の幅方向一側を手前側とすることができ、足場板本体１０の幅方向他側を奥側とすることができる。足場板本体１０の左右方向を長さ方向と定義することもできる。
【００３５】
また、図３及び図４に示すように、足場板１は、一側調整板材２０を足場板本体１０の一側に連結するための一側第１連結ボルト４１、一側第２連結ボルト４２、一側第１ナット４３及び一側第２ナット４４を備えている。一側第１連結ボルト４１、一側第２連結ボルト４２、一側第１ナット４３及び一側第２ナット４４は、一側調整板材２０を足場板本体１０の一側に対して上下方向に延びる軸周りに回動可能に連結する連結部材である。
【００３６】
また、足場板１は、他側調整板材３０を足場板本体１０の他側に連結するための他側第１連結ボルト５１、他側第２連結ボルト５２、他側第１ナット５３及び他側第２ナット５４とを備えている。他側第１連結ボルト５１、他側第２連結ボルト５２、他側第１ナット５３及び他側第２ナット５４は、他側調整板材３０を足場板本体１０の他側に対して上下方向に延びる軸周りに回動可能に連結する連結部材である。連結部材の構成は上述したものに限られず、各種リベット等を連結部材とすることもできる。
【００３７】
さらに、一側調整板材２０における足場板本体１０に連結される側とは反対側には、布材２０１（図９に示す）に係合する一側係合フック２１、２１が設けられている。また、他側調整板材３０における足場板本体１０に連結される側とは反対側には、布材２０１に係合する他側係合フック３１、３１が設けられている。これら一側係合フック２１、２１及び他側係合フック３１、３１も足場板１を構成する部材である。一側係合フック２１、２１及び他側係合フック３１、３１は足場板１の長さ方向に突出するように配置されている。
【００３８】
（足場板本体１０の構成）
足場板本体１０は、例えば鋼板等で構成された部材であり、長さ方向の寸法や幅方向の寸法は、規格等に合わせて任意の寸法に設定することができる。また、足場板本体１０の厚みについても、強度を考慮して任意の寸法に設定することができる。
【００３９】
足場板本体１０は、設置状態で水平方向に延びるように配置される本体板部１１と、正面縦板部１２と、背面縦板部１３（図５に示す）と、一側縦板部１４と、他側縦板部１５とを備えている。本体板部１１、正面縦板部１２、背面縦板部１３、一側縦板部１４及び他側縦板部１５は一体成形されていてもよいし、互いに別部材で成形しておき、例えば溶接等により接合して一体化してもよい。
【００４０】
図５に示すように、本体板部１１の手前側の縁部１１ｃは、足場板本体１０の長さ方向に直線状に延びている。また、本体板部１１の奥側の縁部１１ｄも、足場板本体１０の長さ方向に直線状に延びおり、本体板部１１の手前側の縁部１１ｃと奥側の縁部１１ｄとは互いに略平行である。手前側の縁部１１ｃが奥側の縁部１１ｄに比べて短くなっている。正面縦板部１２は、本体板部１１の手前側の縁部１１ｃから下方へ延びるとともに、本体板部１１の長さ方向に連続して延びている。背面縦板部１３は、本体板部１１の奥側の縁部１１ｄから下方へ延びるとともに、本体板部１１の長さ方向に連続して延びている。正面縦板部１２と背面縦板部１３は互いに略平行である。
【００４１】
また、本体板部１１の長さ方向一側の縁部１１ｇは、奥側の縁部１１ｄから手前側へ向けて当該奥側の縁部１１ｄに対して略直角に延びる第１縁部１１ｅと、第１縁部１１ｅから手前側の縁部１１ｃまで延びる第２縁部１１ｆとで構成されている。第２縁部１１ｆは、足場板本体１０の手前側へ行くほど当該足場板本体１０の長さ方向他側に位置するように傾斜している。第１縁部１１ｅは、本体板部１１の幅方向中央部近傍まで延びている。
【００４２】
本体板部１１の長さ方向他側の縁部１１ｊも一側の縁部１１ｇと同様に構成されており、第１縁部１１ｈと第２縁部１１ｉとを有している。第１縁部１１ｈは、奥側の縁部１１ｄに対して略直角、即ち、一側の第１縁部１１ｅと略平行である。第２縁部１１ｉは、足場板本体１０の手前側へ行くほど当該足場板本体１０の長さ方向一側に位置するように傾斜している。つまり、足場板本体１０の長さ方向一側縁部（第２縁部１１ｆ）と他側縁部（第２縁部１１ｉ）が足場板本体１０の幅方向一側（手前側）に向かって互いに接近するように形成されている。これにより、足場板本体１０の長さは、手前側へ行くほど短くなる。
【００４３】
一側縦板部１４は、本体板部１１の長さ方向一側の縁部１１ｇから下方へ延びるとともに、本体板部１１の幅方向に連続して延びている。他側縦板部１５は、本体板部１１の長さ方向他側の縁部１１ｊから下方へ延びるとともに、本体板部１１の幅方向に連続して延びている。正面縦板部１２、背面縦板部１３、一側縦板部１４及び他側縦板部１５は互いに連続するように形成することができる。また、正面縦板部１２、背面縦板部１３、一側縦板部１４及び他側縦板部１５の下縁部は、同一平面上に位置している。
【００４４】
図１等に示すように、本体板部１１には、当該本体板部１１の長さ方向に直線状に延びる２つの凹条部１１ａ、１１ａが形成されている。一方の凹条部１１ａは、本体板部１１の幅方向一側に近い部位に設けられており、他方の凹条部１１ａは、本体板部１１の幅方向他側に近い部位に設けられている。凹条部１１ａ、１１ａの形成により、本体板部１１の強度が向上し、特に、本体板部１１における凹条部１１ａ、１１ａが形成された部位の強度が大幅に高まる。さらに、本体板部１１には、２つの凹条部１１ａ、１１ａの間に、当該本体板部１１の長さ方向に直線状に延びるスリット１１ｂが形成されている。スリット１１ｂは、本体板部１１の幅方向中央部に形成することができる。
【００４５】
図５に示すように、スリット１１ｂには、一側第１連結ボルト４１が挿通するとともに、一側第２連結ボルト４２が挿通するようになっている。また、スリット１１ｂには、他側第１連結ボルト５１が挿通するとともに、他側第２連結ボルト５２が挿通するようになっている。これにより、一側第１連結ボルト４１の軸部４１ｂ、一側第２連結ボルト４２の軸部４２ｂ、他側第１連結ボルト５１の軸部５１ｂ及び他側第２連結ボルト５２の軸部５２ｂが本体板部１１を貫通可能になる。
【００４６】
（一側調整板材２０の構成）
図３、図４や図６に示すように、一側調整板材２０は、足場板本体１０の上面に沿って延びる上板部２２と、足場板本体１０の下面に沿って延びる下板部２３と、上板部２２から下板部２３まで延び、上板部２２及び下板部２３を連結する連結板部２４とを備えている。尚、足場板本体１０の下面は、第２凹条部１１ｂの下面や、正面縦板部１２、背面縦板部１３、一側縦板部１４及び他側縦板部１５の下端部で構成することができる。上板部２２、下板部２３及び連結板部２４は、例えば鋼板等を用いて一体成形することができるが、それぞれを別部材で成形しておき、その後、溶接等で一体化することもできる。一側調整板材２０の上板部２２と下板部２３とで足場板本体１０を厚み方向に挟持することができるようになっている。
【００４７】
図１及び図２に示すように、上板部２２は、足場板本体１０の上面の所定範囲を覆うことができるように形成されており、後述する角度調整を行った際に、足場板本体１０と一側調整板材２０との間に形成される隙間を極小化するようにしている。上板部２２の奥側の縁部２２ｃは、足場板本体１０の長さ方向中央に近づくほど手前側に位置するように形成されている。これにより、後述する角度調整を行った際に、上板部２２の奥側の縁部２２ｃが足場板本体１０の奥側の縁部１１ｄ（図５に示す）から飛び出ないようにすることができる。
【００４８】
図４及び図６に示すように、上板部２２には、一側第１連結ボルト４１が挿通する一側第１挿通孔２２ａと、一側第２連結ボルト４２が挿通する一側第２挿通孔２２ｂとが形成されている。これにより、一側第１連結ボルト４１及び一側第２連結ボルト４２が上板部２２を上下方向に貫通可能になる。一側第１挿通孔２２ａは、一側第１連結ボルト４１の軸部４１ｂの断面形状に対応した円形である一方、一側第２挿通孔２２ｂは、一側第１連結ボルト４１の軸部４１ｂ周りに円弧状に延びる長孔で構成されている。
【００４９】
下板部２３の形状は上板部２２と同様である。下板部２３の奥側の縁部（図示せず）は、足場板本体１０の長さ方向中央に近づくほど手前側に位置するように形成されている。また、図６に示すように、下板部２３には、一側第１連結ボルト４１が挿通する一側第１挿通孔２３ａと、一側第２連結ボルト４２が挿通する一側第２挿通孔２３ｂとが形成されている。これにより、一側第１連結ボルト４１及び一側第２連結ボルト４２が下板部２３を上下方向に貫通可能になる。一側第１挿通孔２３ａは、一側第１連結ボルト４１の軸部４１ｂの断面形状に対応した円形である一方、一側第２挿通孔２３ｂは、一側第１連結ボルト４１の軸部４１ｂ周りに円弧状に延びる長孔で構成されている。
【００５０】
図３及び図６に示すように、下板部２３の下面には、下方へ突出して該下面に沿って延びる補強材２５が固定されている。補強材２５は、下板部２３を構成する材料と同じ材料で構成されている。補強材２５は、下板部２３における足場板本体１０に連結される側から連結板部２４側まで連続して延びている。補強材２５が下板部２３の下面から突出することになるので、後述する一側調整板材２０の回動時に補強材２５が足場板本体１０と干渉することはない。
【００５１】
連結板部２４は、上板部２２における足場板本体１０に連結される側とは反対側の縁部から、下板部２３における足場板本体１０に連結される側とは反対側の縁部まで上下方向に延びている。
【００５２】
図１や図２に示すように、一側調整板材２０における足場板本体１０に連結される側とは反対側には、一側係合フック２１を取り付けるための取付部２０ａ、２０ａが設けられている。各取付部２０ａに一側係合フック２１が締結固定されている。一側係合フック２１は、下方に開放するように形成されており、この開放部分から布材２０１（図９に示す）を挿入して一側係合フック２１を布材２０１に対して上方から引っ掛けることができるようになっている。
【００５３】
（他側調整板材３０の構成）
図１や図４に示すように、他側調整板材３０は、一側調整板材２０と左右対称構造となっている。すなわち、他側調整板材３０は、足場板本体１０の上面に沿って延びる上板部３２と、足場板本体１０の下面に沿って延びる下板部３３と、上板部３２から下板部３３まで延びる連結板部３４とを備えている。図４に示すように、上板部３２には、他側第１連結ボルト５１が挿通する他側第１挿通孔３２ａと、他側第２連結ボルト５２が挿通する他側第２挿通孔３２ｂとが形成されている。他側第１挿通孔３２ａは、他側第１連結ボルト５１の軸部５１ｂの断面形状に対応した円形である一方、他側第２挿通孔３２ｂは、他側第１連結ボルト５１の軸部５１ｂ周りに円弧状に延びる長孔で構成されている。図示しないが、下板部３３には、上板部３２と同様に、他側第１連結ボルト５１が挿通する他側第１挿通孔と、他側第２連結ボルト５２が挿通する他側第２挿通孔とが形成されている。
【００５４】
他側調整板材３０における足場板本体１０に連結される側とは反対側には、他側係合フック３１を取り付けるための取付部３０ａ、３０ａが設けられている。また、図３に示すように、下板部３３の下面には、補強材３５が固定されている。
【００５５】
（連結部材の構成）
図４に示すように、一側第１連結ボルト４１は、一側調整板材２０の上板部２２及び下板部２３と、足場板本体１０とを上下方向に貫通する貫通軸としての軸部４１ｂを有している。この軸部４１ｂは、上板部２２の一側第１挿通孔２２ａと、下板部２３の一側第１挿通孔２３ａ（図６に示す）と、足場板本体１０のスリット１１ｂとに挿通される挿通軸でもあり、これら挿通孔２２ａ、２３ａ、１１ｂに挿通された状態で下板部２３の下方へ突出するように形成されたねじ軸で構成されている。軸部４１ｂには、一側第１ナット４３が下方から螺合するようになっている。一側第１連結ボルト４１の軸部４１ｂは、一側調整板材２０を回動させる際の回動中心を形成することになる。
【００５６】
図１に示すように、一側第１連結ボルト４１の軸部４１ｂの基端部には、当該軸部４１ｂの径方向へ延出し、上板部２２の上面に沿うように形成されたフランジ形状部４１ａが設けられている。フランジ形状部４１ａは、円形にすることもできるし、多角形等にすることもできる。
【００５７】
図４に示すように、一側第２連結ボルト４２は、上板部２２及び下板部２３と、足場板本体１０とを上下方向に貫通する軸部４２ｂを有している。この軸部４２ｂは、上板部２２の一側第２挿通孔２２ｂと、下板部２３の一側第２挿通孔２３ｂ（図６に示す）と、足場板本体１０のスリット１１ｂ（図５に示す）とに挿通される挿通軸でもあり、これらに挿通された状態で下板部２３の下方へ突出するように形成されたねじ軸で構成されている。軸部４２ｂには、一側第２ナット４４が下方から螺合するようになっている。図１に示すように、一側第２連結ボルト４２にもフランジ形状部４２ａが設けられている。
【００５８】
図４に示すように、他側第１連結ボルト５１は、一側第１連結ボルト４１と同様に構成されており、他側調整板材３０の上板部３２の他側第１挿通孔３２ａと、下板部３３の他側第１挿通孔（図示せず）と、足場板本体１０のスリット１１ｂ（図５に示す）とに挿通される軸部５１ｂを有している。図１に示すように、他側第１連結ボルト５１の軸部５１ｂの基端部には、上板部３２の上面に沿うように形成されたフランジ形状部５１ａが設けられている。軸部５１ｂには、図４に示す他側第１ナット５３が下方から螺合するようになっている。
【００５９】
他側第２連結ボルト５２は、一側第２連結ボルト４２と同様に構成されており、他側調整板材３０の上板部３２の他側第２挿通孔３２ｂと、下板部３３の他側第２挿通孔（図示せず）と、足場板本体１０のスリット１１ｂとに挿通される軸部５２ｂを有している。図１に示すように、他側第２連結ボルト５２の軸部５２ｂの基端部には、上板部３２の上面に沿うように形成されたフランジ形状部５２ａが設けられている。軸部５２ｂには、他側第２ナット５４が下方から螺合するようになっている。
【００６０】
（調整板材２０、３０の取付要領）
一側調整板材２０は、一側第１連結ボルト４１、一側第２連結ボルト４２、一側第１ナット４３及び一側第２ナット４４によって足場板本体１０に取り付けられる。まず、一側調整板材２０の上板部２２と下板部２３との間に足場板本体１０を差し込む。その後、上方から見て、一側調整板材２０の一側第１挿通孔２２ａ（図４に示す）と、足場板本体１０のスリット１１ｂ（図５に示す）とを一致させるとともに、一側調整板材２０の一側第２挿通孔２２ｂの長手方向の一部と、足場板本体１０のスリット１１ｂとを一致させる。これにより、下板部２３の一側第１挿通孔２３ａ及び一側第２挿通孔２３ｂ（図６に示す）も、足場板本体１０のスリット１１ｂと一致するようになる。
【００６１】
次いで、一側第１連結ボルト４１の軸部４１ｂを、一側第１挿通孔２２ａ、スリット１１ｂ及び一側第１挿通孔２３ａに挿通させ、軸部４１ｂに一側第１ナット４３を螺合させる。また、一側第２連結ボルト４２の軸部４２ｂを、一側第２挿通孔２２ｂ、スリット１１ｂ及び一側第２挿通孔２３ｂに挿通させ、軸部４２ｂに一側第２ナット４４を螺合させる。一側第１ナット４３及び一側第２ナット４４を締め込むことにより、一側調整板材２０の上板部２２と下板部２３とで足場板本体１０を厚み方向に強く挟持することができ、一側調整板材２０が足場板本体１０に対して回動しなくなる。
【００６２】
一方、他側調整板材３０は、他側第１連結ボルト５１、他側第２連結ボルト５２、他側第１ナット５３及び他側第２ナット５４によって一側調整板材２０と同様に足場板本体１０に取り付けられる。すなわち、他側第１連結ボルト５１の軸部５１ａを、他側調整板材３０の上板部３２の他側第１挿通孔３２ａと、足場板本体１０のスリット１１ｂと、他側調整板材３０の下板部３３の他側第１挿通孔（図示せず）とに挿通させ、軸部５１ａに他側第１ナット５３を螺合させる。また、他側第２連結ボルト５２の軸部５２ａを、他側調整板材３０の上板部３２の他側第２挿通孔３２ｂと、足場板本体１０のスリット１１ｂと、他側調整板材３０の下板部３３の他側第２挿通孔（図示せず）とに挿通させ、軸部５２ａに他側第２ナット５４を螺合させる。
【００６３】
（実施形態の変形例）
図８は、本発明の実施形態の変形例に係る足場板１を示すものである。この変形例に係る足場板１の構造は上述した実施形態と同じであるが、幅が狭く形成されていて、長さは若干短くなっている点で異なっている。このように足場板１の幅や長さは変更することができ、幅や長さを変更しても同様な構造とすることができる。
【００６４】
（足場板１の使用要領）
次に、足場板１の使用要領について説明する。図９は、上記実施形態の足場板１と、変形例の足場板１とを、建築物１００の外壁面に垂直な方向に並ぶように設けた場合を示している。建築物１００は円筒状のタンク等であり、外壁面が円弧状に湾曲している。
【００６５】
一側調整板材２０を固定している一側第１ナット４３及び一側第２ナット４４を緩めることで、一側調整板材２０は、一側第１連結ボルト４１の軸部４１ｂを回動中心として足場板本体１０に対して回動可能になる。図２は、一側調整板材２０が足場板本体１０に対して回動していない初期状態を示しており、この初期状態の足場板１を使用することもできる。初期状態の足場板１は、回動機構を有していない一般的な足場板と同じように使用できる。
【００６６】
図７は、一側調整板材２０が足場板本体１０に対して回動した状態を示しており、このように一側調整板材２０と足場板本体１０との角度調整を行うことができる。図７に示す状態で一側第１ナット４３及び一側第２ナット４４を締めることにより、一側調整板材２０を足場板本体１０に対して固定することができる。一側調整板材２０の回動範囲は、一側第２挿通孔２２ｂの長さによって設定することができる。一側調整板材２０を足場板本体１０に対して回動させると、一側第２連結ボルト４２の軸部４２ｂが一側第２挿通孔２２ｂの長手方向の縁部に当接し、それ以上、一側調整板材２０を回動させることができなくなる。また、一側調整板材２０は足場板本体１０に対して無段階に回動させることができる。他側調整板材３０についても同様である。
【００６７】
図１０は、仮設足場用建枠Ａに足場板１を取り付けた状態を示している。仮設足場用建枠Ａは、複数本の支柱２００を建築物１００の外壁面に沿った方向に並ぶように設けるとともに、建築物１００の外壁面に垂直な方向に並ぶように設け、さらに、布材２０１、２０２によって隣合う支柱２００、２００を連結することによって構成されている。布材２０２は、建築物１００の外壁面に沿った方向に並ぶ支柱２００、２００を連結する部材である。一方、布材２０１は、建築物１００の外壁面に垂直な方向に並ぶ支柱２００、２００を連結する部材である。本実施形態に係る足場板１を設ける場合、図示するように、一対の布材２０１、２０１を、建築物１００の外壁面に近づくほど互いに接近するように配置しておく。一方、一般的な従来の足場板３００を設ける場合、一対の布材２０１、２０１を互いに平行となるように配置しておく。
【００６８】
足場板１の一側調整板材２０及び他側調整板材３０を足場板本体１０に対して回動させることにより、一側係合フック２１、２１の位置及び他側係合フック３１、３１の位置を調整し、布材２０１に係合可能な位置に配置する。その後、一側調整板材２０及び他側調整板材３０を足場板本体１０に対して固定する。
【００６９】
次いで、足場板１の一側係合フック２１、２１及び他側係合フック３１、３１を布材２０１、２０１に係合させる。これにより、足場板１の設置が完了する。他の足場板１についても同様にして設置することができる。
【００７０】
図１１は、建築物１００の外壁面の曲率が図１０に示す場合に比べて大きい状態を示している。このように、建築物１００の外壁面の曲率が変わっても、足場板１の一側調整板材２０及び他側調整板材３０を足場板本体１０に対して回動させることで容易に対応することができる。足場板１は、建築物１００の外壁面に沿った方向に並ぶように設置することもできる。
【００７１】
（実施形態の作用効果）
以上説明したように、この実施形態に係る足場板１によれば、一側調整板材２０及び他側調整板材３０を足場板本体１０に対して回動させたり揺動させることにより、足場板本体１０と調整板材２０、３０とのなす角度が変化するので、建築物１００の外壁面が湾曲している場合に、その曲率に合うように、足場板本体１０と調整板材２０、３０とのなす角度を調整することが可能になる。そして、一側調整板材２０及び他側調整板材３０の係合フック２１、３１を布材２０１、２０１に係合させることで、足場板１が一対の布材２０１、２０１間に掛け渡されて各種作業を行うための作業床が構築される。このとき、外壁面の曲率に合うように足場板本体１０と調整板材２０、３０とのなす角度を調整しておけば、足場板１と外壁面との間の隙間が小さくなるとともに、隣合う足場板１、１の間の隙間も小さくなる。
【００７２】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００７３】
以上説明したように、本発明に係る足場板は、例えば各種作業を行うための作業床を構築する場合に使用することができる。
【符号の説明】
【００７４】
１            足場板
１０          足場板本体
１１ａ        凹条部
１１ｂ        第２凹条部
２０          一側調整板材
２１          係合フック
２２          上板部
２２ｂ        一側第２挿通孔（長孔）
２３          下板部
２４          連結板部
２５          補強材
３０          他側調整板材
４１          一側第１連結ボルト（連結部材）
４１ａ        フランジ形状部
４１ｂ        軸部（貫通軸）
４２          一側第２連結ボルト（連結部材）
４２ａ        フランジ形状部
４２ｂ        軸部（挿通軸、ねじ軸）
４３          一側第１ナット（連結部材）
４４          一側第２ナット（連結部材）
２０１        布材
Ａ            仮設足場用建枠
【図１】
2020204210.tif 000003
【図２】
2020204210.tif 000004
【図３】
2020204210.tif 000005
【図４】
2020204210.tif 000006
【図５】
2020204210.tif 000007
【図６】
2020204210.tif 000008
【図７】
2020204210.tif 000009
【図８】
2020204210.tif 000010
【図９】
2020204210.tif 000011
【図１０】
2020204210.tif 000012
【図１１】
2020204210.tif 000013
【図１２】
2020204210.tif 000014
【手続補正書】
【提出日】令和1年9月9日(2019.9.9)
【手続補正１】
【補正対象書類名】明細書
【補正対象項目名】全文
【補正方法】変更
【補正の内容】
【発明の詳細な説明】
【技術分野】
【０００１】
本発明は、仮設足場を構築する際に使用される足場板に関するものである。
【背景技術】
【０００２】
従来より、各種建築物の建設作業現場では、作業を行うための足場として仮設足場が構築されている。仮設足場を構築するための仮設足場用建枠は、鋼材からなる複数本の支柱を建築物の外壁面に沿った方向に並ぶように設けるとともに、建築物の外壁面に垂直な方向に並ぶように設け、さらに、布材によって隣合う支柱を連結することによって構成されている。建築物の外壁面に垂直な方向に延びるように設けられる布材に足場板が取り付けられて仮設足場が構築される。
【０００３】
例えば特許文献１〜３に開示されているように、足場板は、足場板本体と、足場板本体の両側に設けられるフックとを備えている。フックを上方から布材に係合させることによって足場板本体を布材に掛け渡すようにして固定することができる。
【先行技術文献】
【特許文献】
【０００４】
【特許文献１】特開２０１７−６６６９７号公報
【特許文献２】実用新案登録第３１７９１６４号公報
【特許文献３】特開２０１９−１５０６７号公報
【発明の概要】
【発明が解決しようとする課題】
【０００５】
ところで、図１２に示すように、建築物１００が円筒状のタンクのようなものの場合、建築物１００の外壁面は円弧状に湾曲することになる。しかしながら、特許文献１〜３に開示されているように、足場板１０１は、直線状に延びているものなので、円弧状の外壁面に沿うように配設するのが困難である。実際の現場では、平面視で、円弧状の外壁面を囲む多角形の各辺を構成するように、直線状の足場板１０１を配設することで対応している。
【０００６】
ところが、そのようにした場合、足場板１０１の長さ方向中央部が外壁面に最も接近し、足場板１０１の長さ方向両端に近づくほど外壁面から離れることになり、建築物１００との隙間が大きくなる懸念がある。建築物１００との隙間を小さくするためには長さの短い足場板１０１を用意すればよいが、足場板１０１の長さは規格によって予め決められており、自由に設定するのは困難であるとともに、足場板１０１を短くすると、支柱の間隔も短くしなければならず、部材数が大幅に増加してしまう。
【０００７】
また、図１２に示すように、直線状の足場板１０１を多角形状に並べた場合、隣合う足場板１０１、１０１の対向する縁部１０１ａ、１０１ａの隙間が大きくなるという問題もあった。
【０００８】
本発明は、かかる点に鑑みてなされたものであり、その目的とするところは、湾曲した外壁面に沿った方向に並ぶように足場板を設ける場合に、足場板と外壁面との間に形成される隙間及び隣合う足場板の間に形成される隙間が小さくなるようにすることにある。
【課題を解決するための手段】
【０００９】
上記目的を達成するために、本発明では、足場板本体の長さ方向一側に対して角度調整可能に取り付けられる調整板材を設け、調整板材に、布材に係合する係合フックを取り付けるようにした。
【００１０】
第１の発明は、仮設足場用建枠を構成する一対の布材間に掛け渡されて各種作業を行うための作業床となる足場板において、一対の前記布材の離間方向に長い足場板本体と、前記足場板本体の長さ方向両側にそれぞれ配置される調整板材と、前記調整板材を前記足場板本体に対して上下方向に延びる軸周りに回動可能に連結する連結部材と、前記調整板材における前記足場板本体に連結される側とは反対側に設けられ、前記布材に係合する係合フックとを備え、前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、前記連結部材は、前記足場板本体の幅方向中央部を通り、前記上板部及び前記下板部と、前記足場板本体とを上下方向に貫通して前記下板部から下方へ突出するねじ軸を有する第１連結ボルトと、前記第１連結ボルトのねじ軸の下端部に螺合して、前記上板部及び前記下板部を前記足場板本体に締結する第１ナットとを備え、前記上板部及び前記下板部には、それぞれ前記第１連結ボルトの前記ねじ軸周りに延びる長孔が形成されており、前記足場板本体の幅方向中央部を通り、前記上板部の前記長孔及び前記下板部の前記長孔と、前記足場板本体とを上下方向に貫通して前記下板部から下方へ突出するねじ軸を有する第２連結ボルトと、前記第２連結ボルトのねじ軸の下端部に螺合して、前記上板部及び前記下板部を前記足場板本体に締結する第２ナットとを備えていることを特徴とする。
【００１１】
この構成によれば、調整板材を足場板本体に対して回動させることにより、足場板本体と調整板材とのなす角度が変化するので、例えば外壁面が湾曲している場合に、その曲率に合うように、足場板本体と調整板材とのなす角度を調整することが可能になる。そして、調整板材の係合フックを布材に係合させることで、足場板が一対の布材間に掛け渡されて各種作業を行うための作業床が構築される。このとき、湾曲した外壁面の曲率に合うように足場板本体と調整板材とのなす角度を調整しておけば、足場板と外壁面との間に形成される隙間が小さくなるとともに、隣合う足場板の間に形成される隙間も小さくなる。
【００１２】
第２の発明は、前記足場板本体の長さ方向一側縁部と他側縁部は、前記足場板本体の幅方向一側に向かって互いに接近するように形成されていることを特徴とする。
【００１３】
この構成によれば、調整板材をねじ軸周りに回動させる際の回動範囲が大きく確保される。
【００１４】
第３の発明は、前記調整板材の前記下板部の下面には、下方へ突出して該下面に沿って延びる補強材が固定されていることを特徴とする。
【００１５】
この構成によれば、調整板材の下板部が補強材によって補強される。この補強材が調整板材の下板部の下面から突出することになるので、調整板材の回動時に補強材が足場板本体と干渉することはない。
【発明の効果】
【００１６】
第１の発明によれば、足場板本体に対して上下方向に延びる軸周りに回動可能に連結される調整板材を設け、この調整板材における足場板本体に連結される側とは反対側に係合フックを設けたので、湾曲した外壁面に沿った方向に並ぶように足場板を設ける場合に、足場板と外壁面との間の隙間及び隣合う足場板の間の隙間を小さくすることができる。
【００１７】
第２の発明によれば、足場板本体の長さ方向一側縁部及び他側縁部を、足場板本体の幅方向一側に向かって互いに接近するように形成したことで、調整板材の回動範囲を広く確保することができる。
【００１８】
第３の発明によれば、調整板材の回動時に補強材が足場板本体と干渉しないようにしながら、調整板材の強度を高めることができる。
【図面の簡単な説明】
【００１９】
【図１】本発明の実施形態に係る足場板を上方から見た斜視図である。
【図２】足場板の平面図である。
【図３】足場板の正面図である。
【図４】足場板の分解斜視図である。
【図５】足場板本体の平面図である。
【図６】調整板材の正面図である。
【図７】調整板材を回動させた状態の図２相当図である。
【図８】実施形態の変形例に係る図１相当図である。
【図９】幅が異なる２種類の足場板を建築物の外壁面に垂直な方向に並ぶように設けた場合を示す平面図である。
【図１０】４つの足場板を外壁面に垂直な方向に並ぶように設けた場合を示す平面図である。
【図１１】外壁面の曲率が大きい場合の図１０相当図である。
【図１２】従来の足場板を円弧状に湾曲した外壁面に沿って並べた場合を示す平面図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係る足場板１の斜視図であり、図２は、足場板１の平面図である。足場板１は、例えば図１０に示す仮設足場用建枠Ａを構成する一対の布材２０１、２０１間に掛け渡されて各種作業を行うための作業床となる仮設足場構築部材である。足場板１は、図９に示すように、建築物１００の外壁面が円弧状に湾曲している場合に使用することができるが、このような建築物１００以外にも平坦な外壁面を有する建築物（図示せず）等にも使用することができる。作業床で行う作業としては、特に限定されるものではないが、例えば塗装、溶接、部材の組付や取付、測定、検査、点検等の各種作業を挙げることができる。
【００２２】
（足場板１の全体構成）
図１〜図４に示すように、足場板１は、一対の布材２０１、２０１（図９に示す）の離間方向に長い足場板本体１０と、足場板本体１０の長さ方向両側（一側及び他側）にそれぞれ配置される一側調整板材２０及び他側調整板材３０とを備えている。足場板本体１０の一側を図１等の左側とし、足場板本体１０の他側を図１等の右側とし、また、図２の下側を足場板本体１０の手前側とし、図２の上側を足場板本体１０の奥側とするが、これは説明の便宜を図るために定義するだけであり、実際の使用時の姿勢を限定するものではない。使用時にはどちら側が左であってもよいし、手前側や奥側も任意に設定することができる。また、手前側を正面側ということもでき、奥側を背面側ということもできる。また、足場板本体１０の幅方向一側を手前側とすることができ、足場板本体１０の幅方向他側を奥側とすることができる。足場板本体１０の左右方向を長さ方向と定義することもできる。
【００２３】
また、図３及び図４に示すように、足場板１は、一側調整板材２０を足場板本体１０の一側に連結するための一側第１連結ボルト４１、一側第２連結ボルト４２、一側第１ナット４３及び一側第２ナット４４を備えている。一側第１連結ボルト４１、一側第２連結ボルト４２、一側第１ナット４３及び一側第２ナット４４は、一側調整板材２０を足場板本体１０の一側に対して上下方向に延びる軸周りに回動可能に連結する連結部材である。
【００２４】
また、足場板１は、他側調整板材３０を足場板本体１０の他側に連結するための他側第１連結ボルト５１、他側第２連結ボルト５２、他側第１ナット５３及び他側第２ナット５４とを備えている。他側第１連結ボルト５１、他側第２連結ボルト５２、他側第１ナット５３及び他側第２ナット５４は、他側調整板材３０を足場板本体１０の他側に対して上下方向に延びる軸周りに回動可能に連結する連結部材である。連結部材の構成は上述したものに限られず、各種リベット等を連結部材とすることもできる。
【００２５】
さらに、一側調整板材２０における足場板本体１０に連結される側とは反対側には、布材２０１（図９に示す）に係合する一側係合フック２１、２１が設けられている。また、他側調整板材３０における足場板本体１０に連結される側とは反対側には、布材２０１に係合する他側係合フック３１、３１が設けられている。これら一側係合フック２１、２１及び他側係合フック３１、３１も足場板１を構成する部材である。一側係合フック２１、２１及び他側係合フック３１、３１は足場板１の長さ方向に突出するように配置されている。
【００２６】
（足場板本体１０の構成）
足場板本体１０は、例えば鋼板等で構成された部材であり、長さ方向の寸法や幅方向の寸法は、規格等に合わせて任意の寸法に設定することができる。また、足場板本体１０の厚みについても、強度を考慮して任意の寸法に設定することができる。
【００２７】
足場板本体１０は、設置状態で水平方向に延びるように配置される本体板部１１と、正面縦板部１２と、背面縦板部１３（図５に示す）と、一側縦板部１４と、他側縦板部１５とを備えている。本体板部１１、正面縦板部１２、背面縦板部１３、一側縦板部１４及び他側縦板部１５は一体成形されていてもよいし、互いに別部材で成形しておき、例えば溶接等により接合して一体化してもよい。
【００２８】
図５に示すように、本体板部１１の手前側の縁部１１ｃは、足場板本体１０の長さ方向に直線状に延びている。また、本体板部１１の奥側の縁部１１ｄも、足場板本体１０の長さ方向に直線状に延びおり、本体板部１１の手前側の縁部１１ｃと奥側の縁部１１ｄとは互いに略平行である。手前側の縁部１１ｃが奥側の縁部１１ｄに比べて短くなっている。正面縦板部１２は、本体板部１１の手前側の縁部１１ｃから下方へ延びるとともに、本体板部１１の長さ方向に連続して延びている。背面縦板部１３は、本体板部１１の奥側の縁部１１ｄから下方へ延びるとともに、本体板部１１の長さ方向に連続して延びている。正面縦板部１２と背面縦板部１３は互いに略平行である。
【００２９】
また、本体板部１１の長さ方向一側の縁部１１ｇは、奥側の縁部１１ｄから手前側へ向けて当該奥側の縁部１１ｄに対して略直角に延びる第１縁部１１ｅと、第１縁部１１ｅから手前側の縁部１１ｃまで延びる第２縁部１１ｆとで構成されている。第２縁部１１ｆは、足場板本体１０の手前側へ行くほど当該足場板本体１０の長さ方向他側に位置するように傾斜している。第１縁部１１ｅは、本体板部１１の幅方向中央部近傍まで延びている。
【００３０】
本体板部１１の長さ方向他側の縁部１１ｊも一側の縁部１１ｇと同様に構成されており、第１縁部１１ｈと第２縁部１１ｉとを有している。第１縁部１１ｈは、奥側の縁部１１ｄに対して略直角、即ち、一側の第１縁部１１ｅと略平行である。第２縁部１１ｉは、足場板本体１０の手前側へ行くほど当該足場板本体１０の長さ方向一側に位置するように傾斜している。つまり、足場板本体１０の長さ方向一側縁部（第２縁部１１ｆ）と他側縁部（第２縁部１１ｉ）が足場板本体１０の幅方向一側（手前側）に向かって互いに接近するように形成されている。これにより、足場板本体１０の長さは、手前側へ行くほど短くなる。
【００３１】
一側縦板部１４は、本体板部１１の長さ方向一側の縁部１１ｇから下方へ延びるとともに、本体板部１１の幅方向に連続して延びている。他側縦板部１５は、本体板部１１の長さ方向他側の縁部１１ｊから下方へ延びるとともに、本体板部１１の幅方向に連続して延びている。正面縦板部１２、背面縦板部１３、一側縦板部１４及び他側縦板部１５は互いに連続するように形成することができる。また、正面縦板部１２、背面縦板部１３、一側縦板部１４及び他側縦板部１５の下縁部は、同一平面上に位置している。
【００３２】
図１等に示すように、本体板部１１には、当該本体板部１１の長さ方向に直線状に延びる２つの凹条部１１ａ、１１ａが形成されている。一方の凹条部１１ａは、本体板部１１の幅方向一側に近い部位に設けられており、他方の凹条部１１ａは、本体板部１１の幅方向他側に近い部位に設けられている。凹条部１１ａ、１１ａの形成により、本体板部１１の強度が向上し、特に、本体板部１１における凹条部１１ａ、１１ａが形成された部位の強度が大幅に高まる。さらに、本体板部１１には、２つの凹条部１１ａ、１１ａの間に、当該本体板部１１の長さ方向に直線状に延びるスリット１１ｂが形成されている。スリット１１ｂは、本体板部１１の幅方向中央部に形成することができる。
【００３３】
図５に示すように、スリット１１ｂには、一側第１連結ボルト４１が挿通するとともに、一側第２連結ボルト４２が挿通するようになっている。また、スリット１１ｂには、他側第１連結ボルト５１が挿通するとともに、他側第２連結ボルト５２が挿通するようになっている。これにより、一側第１連結ボルト４１の軸部４１ｂ、一側第２連結ボルト４２の軸部４２ｂ、他側第１連結ボルト５１の軸部５１ｂ及び他側第２連結ボルト５２の軸部５２ｂが本体板部１１を貫通可能になる。
【００３４】
（一側調整板材２０の構成）
図３、図４や図６に示すように、一側調整板材２０は、足場板本体１０の上面に沿って延びる上板部２２と、足場板本体１０の下面に沿って延びる下板部２３と、上板部２２から下板部２３まで延び、上板部２２及び下板部２３を連結する連結板部２４とを備えている。尚、足場板本体１０の下面は、第２凹条部１１ｂの下面や、正面縦板部１２、背面縦板部１３、一側縦板部１４及び他側縦板部１５の下端部で構成することができる。上板部２２、下板部２３及び連結板部２４は、例えば鋼板等を用いて一体成形することができるが、それぞれを別部材で成形しておき、その後、溶接等で一体化することもできる。一側調整板材２０の上板部２２と下板部２３とで足場板本体１０を厚み方向に挟持することができるようになっている。
【００３５】
図１及び図２に示すように、上板部２２は、足場板本体１０の上面の所定範囲を覆うことができるように形成されており、後述する角度調整を行った際に、足場板本体１０と一側調整板材２０との間に形成される隙間を極小化するようにしている。上板部２２の奥側の縁部２２ｃは、足場板本体１０の長さ方向中央に近づくほど手前側に位置するように形成されている。これにより、後述する角度調整を行った際に、上板部２２の奥側の縁部２２ｃが足場板本体１０の奥側の縁部１１ｄ（図５に示す）から飛び出ないようにすることができる。
【００３６】
図４及び図６に示すように、上板部２２には、一側第１連結ボルト４１が挿通する一側第１挿通孔２２ａと、一側第２連結ボルト４２が挿通する一側第２挿通孔２２ｂとが形成されている。これにより、一側第１連結ボルト４１及び一側第２連結ボルト４２が上板部２２を上下方向に貫通可能になる。一側第１挿通孔２２ａは、一側第１連結ボルト４１の軸部４１ｂの断面形状に対応した円形である一方、一側第２挿通孔２２ｂは、一側第１連結ボルト４１の軸部４１ｂ周りに円弧状に延びる長孔で構成されている。
【００３７】
下板部２３の形状は上板部２２と同様である。下板部２３の奥側の縁部（図示せず）は、足場板本体１０の長さ方向中央に近づくほど手前側に位置するように形成されている。また、図６に示すように、下板部２３には、一側第１連結ボルト４１が挿通する一側第１挿通孔２３ａと、一側第２連結ボルト４２が挿通する一側第２挿通孔２３ｂとが形成されている。これにより、一側第１連結ボルト４１及び一側第２連結ボルト４２が下板部２３を上下方向に貫通可能になる。一側第１挿通孔２３ａは、一側第１連結ボルト４１の軸部４１ｂの断面形状に対応した円形である一方、一側第２挿通孔２３ｂは、一側第１連結ボルト４１の軸部４１ｂ周りに円弧状に延びる長孔で構成されている。
【００３８】
図３及び図６に示すように、下板部２３の下面には、下方へ突出して該下面に沿って延びる補強材２５が固定されている。補強材２５は、下板部２３を構成する材料と同じ材料で構成されている。補強材２５は、下板部２３における足場板本体１０に連結される側から連結板部２４側まで連続して延びている。補強材２５が下板部２３の下面から突出することになるので、後述する一側調整板材２０の回動時に補強材２５が足場板本体１０と干渉することはない。
【００３９】
連結板部２４は、上板部２２における足場板本体１０に連結される側とは反対側の縁部から、下板部２３における足場板本体１０に連結される側とは反対側の縁部まで上下方向に延びている。
【００４０】
図１や図２に示すように、一側調整板材２０における足場板本体１０に連結される側とは反対側には、一側係合フック２１を取り付けるための取付部２０ａ、２０ａが設けられている。各取付部２０ａに一側係合フック２１が締結固定されている。一側係合フック２１は、下方に開放するように形成されており、この開放部分から布材２０１（図９に示す）を挿入して一側係合フック２１を布材２０１に対して上方から引っ掛けることができるようになっている。
【００４１】
（他側調整板材３０の構成）
図１や図４に示すように、他側調整板材３０は、一側調整板材２０と左右対称構造となっている。すなわち、他側調整板材３０は、足場板本体１０の上面に沿って延びる上板部３２と、足場板本体１０の下面に沿って延びる下板部３３と、上板部３２から下板部３３まで延びる連結板部３４とを備えている。図４に示すように、上板部３２には、他側第１連結ボルト５１が挿通する他側第１挿通孔３２ａと、他側第２連結ボルト５２が挿通する他側第２挿通孔３２ｂとが形成されている。他側第１挿通孔３２ａは、他側第１連結ボルト５１の軸部５１ｂの断面形状に対応した円形である一方、他側第２挿通孔３２ｂは、他側第１連結ボルト５１の軸部５１ｂ周りに円弧状に延びる長孔で構成されている。図示しないが、下板部３３には、上板部３２と同様に、他側第１連結ボルト５１が挿通する他側第１挿通孔と、他側第２連結ボルト５２が挿通する他側第２挿通孔とが形成されている。
【００４２】
他側調整板材３０における足場板本体１０に連結される側とは反対側には、他側係合フック３１を取り付けるための取付部３０ａ、３０ａが設けられている。また、図３に示すように、下板部３３の下面には、補強材３５が固定されている。
【００４３】
（連結部材の構成）
図４に示すように、一側第１連結ボルト４１は、一側調整板材２０の上板部２２及び下板部２３と、足場板本体１０とを上下方向に貫通する貫通軸としての軸部４１ｂを有している。この軸部４１ｂは、上板部２２の一側第１挿通孔２２ａと、下板部２３の一側第１挿通孔２３ａ（図６に示す）と、足場板本体１０のスリット１１ｂとに挿通される挿通軸でもあり、これら挿通孔２２ａ、２３ａ、１１ｂに挿通された状態で下板部２３の下方へ突出するように形成されたねじ軸で構成されている。軸部４１ｂには、一側第１ナット４３が下方から螺合するようになっている。一側第１連結ボルト４１の軸部４１ｂは、一側調整板材２０を回動させる際の回動中心を形成することになる。
【００４４】
図１に示すように、一側第１連結ボルト４１の軸部４１ｂの基端部には、当該軸部４１ｂの径方向へ延出し、上板部２２の上面に沿うように形成されたフランジ形状部４１ａが設けられている。フランジ形状部４１ａは、円形にすることもできるし、多角形等にすることもできる。
【００４５】
図４に示すように、一側第２連結ボルト４２は、上板部２２及び下板部２３と、足場板本体１０とを上下方向に貫通する軸部４２ｂを有している。この軸部４２ｂは、上板部２２の一側第２挿通孔２２ｂと、下板部２３の一側第２挿通孔２３ｂ（図６に示す）と、足場板本体１０のスリット１１ｂ（図５に示す）とに挿通される挿通軸でもあり、これらに挿通された状態で下板部２３の下方へ突出するように形成されたねじ軸で構成されている。軸部４２ｂには、一側第２ナット４４が下方から螺合するようになっている。図１に示すように、一側第２連結ボルト４２にもフランジ形状部４２ａが設けられている。
【００４６】
図４に示すように、他側第１連結ボルト５１は、一側第１連結ボルト４１と同様に構成されており、他側調整板材３０の上板部３２の他側第１挿通孔３２ａと、下板部３３の他側第１挿通孔（図示せず）と、足場板本体１０のスリット１１ｂ（図５に示す）とに挿通される軸部５１ｂを有している。図１に示すように、他側第１連結ボルト５１の軸部５１ｂの基端部には、上板部３２の上面に沿うように形成されたフランジ形状部５１ａが設けられている。軸部５１ｂには、図４に示す他側第１ナット５３が下方から螺合するようになっている。
【００４７】
他側第２連結ボルト５２は、一側第２連結ボルト４２と同様に構成されており、他側調整板材３０の上板部３２の他側第２挿通孔３２ｂと、下板部３３の他側第２挿通孔（図示せず）と、足場板本体１０のスリット１１ｂとに挿通される軸部５２ｂを有している。図１に示すように、他側第２連結ボルト５２の軸部５２ｂの基端部には、上板部３２の上面に沿うように形成されたフランジ形状部５２ａが設けられている。軸部５２ｂには、他側第２ナット５４が下方から螺合するようになっている。
【００４８】
（調整板材２０、３０の取付要領）
一側調整板材２０は、一側第１連結ボルト４１、一側第２連結ボルト４２、一側第１ナット４３及び一側第２ナット４４によって足場板本体１０に取り付けられる。まず、一側調整板材２０の上板部２２と下板部２３との間に足場板本体１０を差し込む。その後、上方から見て、一側調整板材２０の一側第１挿通孔２２ａ（図４に示す）と、足場板本体１０のスリット１１ｂ（図５に示す）とを一致させるとともに、一側調整板材２０の一側第２挿通孔２２ｂの長手方向の一部と、足場板本体１０のスリット１１ｂとを一致させる。これにより、下板部２３の一側第１挿通孔２３ａ及び一側第２挿通孔２３ｂ（図６に示す）も、足場板本体１０のスリット１１ｂと一致するようになる。
【００４９】
次いで、一側第１連結ボルト４１の軸部４１ｂを、一側第１挿通孔２２ａ、スリット１１ｂ及び一側第１挿通孔２３ａに挿通させ、軸部４１ｂに一側第１ナット４３を螺合させる。また、一側第２連結ボルト４２の軸部４２ｂを、一側第２挿通孔２２ｂ、スリット１１ｂ及び一側第２挿通孔２３ｂに挿通させ、軸部４２ｂに一側第２ナット４４を螺合させる。一側第１ナット４３及び一側第２ナット４４を締め込むことにより、一側調整板材２０の上板部２２と下板部２３とで足場板本体１０を厚み方向に強く挟持することができ、一側調整板材２０が足場板本体１０に対して回動しなくなる。
【００５０】
一方、他側調整板材３０は、他側第１連結ボルト５１、他側第２連結ボルト５２、他側第１ナット５３及び他側第２ナット５４によって一側調整板材２０と同様に足場板本体１０に取り付けられる。すなわち、他側第１連結ボルト５１の軸部５１ａを、他側調整板材３０の上板部３２の他側第１挿通孔３２ａと、足場板本体１０のスリット１１ｂと、他側調整板材３０の下板部３３の他側第１挿通孔（図示せず）とに挿通させ、軸部５１ａに他側第１ナット５３を螺合させる。また、他側第２連結ボルト５２の軸部５２ａを、他側調整板材３０の上板部３２の他側第２挿通孔３２ｂと、足場板本体１０のスリット１１ｂと、他側調整板材３０の下板部３３の他側第２挿通孔（図示せず）とに挿通させ、軸部５２ａに他側第２ナット５４を螺合させる。
【００５１】
（実施形態の変形例）
図８は、本発明の実施形態の変形例に係る足場板１を示すものである。この変形例に係る足場板１の構造は上述した実施形態と同じであるが、幅が狭く形成されていて、長さは若干短くなっている点で異なっている。このように足場板１の幅や長さは変更することができ、幅や長さを変更しても同様な構造とすることができる。
【００５２】
（足場板１の使用要領）
次に、足場板１の使用要領について説明する。図９は、上記実施形態の足場板１と、変形例の足場板１とを、建築物１００の外壁面に垂直な方向に並ぶように設けた場合を示している。建築物１００は円筒状のタンク等であり、外壁面が円弧状に湾曲している。
【００５３】
一側調整板材２０を固定している一側第１ナット４３及び一側第２ナット４４を緩めることで、一側調整板材２０は、一側第１連結ボルト４１の軸部４１ｂを回動中心として足場板本体１０に対して回動可能になる。図２は、一側調整板材２０が足場板本体１０に対して回動していない初期状態を示しており、この初期状態の足場板１を使用することもできる。初期状態の足場板１は、回動機構を有していない一般的な足場板と同じように使用できる。
【００５４】
図７は、一側調整板材２０が足場板本体１０に対して回動した状態を示しており、このように一側調整板材２０と足場板本体１０との角度調整を行うことができる。図７に示す状態で一側第１ナット４３及び一側第２ナット４４を締めることにより、一側調整板材２０を足場板本体１０に対して固定することができる。一側調整板材２０の回動範囲は、一側第２挿通孔２２ｂの長さによって設定することができる。一側調整板材２０を足場板本体１０に対して回動させると、一側第２連結ボルト４２の軸部４２ｂが一側第２挿通孔２２ｂの長手方向の縁部に当接し、それ以上、一側調整板材２０を回動させることができなくなる。また、一側調整板材２０は足場板本体１０に対して無段階に回動させることができる。他側調整板材３０についても同様である。
【００５５】
図１０は、仮設足場用建枠Ａに足場板１を取り付けた状態を示している。仮設足場用建枠Ａは、複数本の支柱２００を建築物１００の外壁面に沿った方向に並ぶように設けるとともに、建築物１００の外壁面に垂直な方向に並ぶように設け、さらに、布材２０１、２０２によって隣合う支柱２００、２００を連結することによって構成されている。布材２０２は、建築物１００の外壁面に沿った方向に並ぶ支柱２００、２００を連結する部材である。一方、布材２０１は、建築物１００の外壁面に垂直な方向に並ぶ支柱２００、２００を連結する部材である。本実施形態に係る足場板１を設ける場合、図示するように、一対の布材２０１、２０１を、建築物１００の外壁面に近づくほど互いに接近するように配置しておく。一方、一般的な従来の足場板３００を設ける場合、一対の布材２０１、２０１を互いに平行となるように配置しておく。
【００５６】
足場板１の一側調整板材２０及び他側調整板材３０を足場板本体１０に対して回動させることにより、一側係合フック２１、２１の位置及び他側係合フック３１、３１の位置を調整し、布材２０１に係合可能な位置に配置する。その後、一側調整板材２０及び他側調整板材３０を足場板本体１０に対して固定する。
【００５７】
次いで、足場板１の一側係合フック２１、２１及び他側係合フック３１、３１を布材２０１、２０１に係合させる。これにより、足場板１の設置が完了する。他の足場板１についても同様にして設置することができる。
【００５８】
図１１は、建築物１００の外壁面の曲率が図１０に示す場合に比べて大きい状態を示している。このように、建築物１００の外壁面の曲率が変わっても、足場板１の一側調整板材２０及び他側調整板材３０を足場板本体１０に対して回動させることで容易に対応することができる。足場板１は、建築物１００の外壁面に沿った方向に並ぶように設置することもできる。
【００５９】
（実施形態の作用効果）
以上説明したように、この実施形態に係る足場板１によれば、一側調整板材２０及び他側調整板材３０を足場板本体１０に対して回動させたり揺動させることにより、足場板本体１０と調整板材２０、３０とのなす角度が変化するので、建築物１００の外壁面が湾曲している場合に、その曲率に合うように、足場板本体１０と調整板材２０、３０とのなす角度を調整することが可能になる。そして、一側調整板材２０及び他側調整板材３０の係合フック２１、３１を布材２０１、２０１に係合させることで、足場板１が一対の布材２０１、２０１間に掛け渡されて各種作業を行うための作業床が構築される。このとき、外壁面の曲率に合うように足場板本体１０と調整板材２０、３０とのなす角度を調整しておけば、足場板１と外壁面との間の隙間が小さくなるとともに、隣合う足場板１、１の間の隙間も小さくなる。
【００６０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６１】
以上説明したように、本発明に係る足場板は、例えば各種作業を行うための作業床を構築する場合に使用することができる。
【符号の説明】
【００６２】
１            足場板
１０          足場板本体
１１ａ        凹条部
１１ｂ        第２凹条部
２０          一側調整板材
２１          係合フック
２２          上板部
２２ｂ        一側第２挿通孔（長孔）
２３          下板部
２４          連結板部
２５          補強材
３０          他側調整板材
４１          一側第１連結ボルト（連結部材）
４１ａ        フランジ形状部
４１ｂ        軸部（貫通軸）
４２          一側第２連結ボルト（連結部材）
４２ａ        フランジ形状部
４２ｂ        軸部（挿通軸、ねじ軸）
４３          一側第１ナット（連結部材）
４４          一側第２ナット（連結部材）
２０１        布材
Ａ            仮設足場用建枠
【手続補正２】
【補正対象書類名】特許請求の範囲
【補正対象項目名】全文
【補正方法】変更
【補正の内容】
【特許請求の範囲】
【請求項１】
仮設足場用建枠を構成する一対の布材間に掛け渡されて各種作業を行うための作業床となる足場板において、
一対の前記布材の離間方向に長い足場板本体と、
前記足場板本体の長さ方向両側にそれぞれ配置される調整板材と、
前記調整板材を前記足場板本体に対して上下方向に延びる軸周りに回動可能に連結する連結部材と、
前記調整板材における前記足場板本体に連結される側とは反対側に設けられ、前記布材に係合する係合フックとを備え、
前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、
前記連結部材は、前記足場板本体の幅方向中央部を通り、前記上板部及び前記下板部と、前記足場板本体とを上下方向に貫通して前記下板部から下方へ突出するねじ軸を有する第１連結ボルトと、前記第１連結ボルトのねじ軸の下端部に螺合して、前記上板部及び前記下板部を前記足場板本体に締結する第１ナットとを備え、
前記上板部及び前記下板部には、それぞれ前記第１連結ボルトの前記ねじ軸周りに延びる長孔が形成されており、
前記足場板本体の幅方向中央部を通り、前記上板部の前記長孔及び前記下板部の前記長孔と、前記足場板本体とを上下方向に貫通して前記下板部から下方へ突出するねじ軸を有する第２連結ボルトと、前記第２連結ボルトのねじ軸の下端部に螺合して、前記上板部及び前記下板部を前記足場板本体に締結する第２ナットとを備えていることを特徴とする足場板。
【請求項２】
請求項１に記載の足場板において、
前記足場板本体の長さ方向一側縁部と他側縁部は、前記足場板本体の幅方向一側に向かって互いに接近するように形成されていることを特徴とする足場板。
【請求項３】
請求項１または２に記載の足場板において、
前記調整板材の前記下板部の下面には、下方へ突出して該下面に沿って延びる補強材が固定されていることを特徴とする足場板。
【手続補正書】
【提出日】令和2年1月16日(2020.1.16)
【手続補正１】
【補正対象書類名】明細書
【補正対象項目名】全文
【補正方法】変更
【補正の内容】
【発明の詳細な説明】
【技術分野】
【０００１】
本発明は、仮設足場を構築する際に使用される足場板に関するものである。
【背景技術】
【０００２】
従来より、各種建築物の建設作業現場では、作業を行うための足場として仮設足場が構築されている。仮設足場を構築するための仮設足場用建枠は、鋼材からなる複数本の支柱を建築物の外壁面に沿った方向に並ぶように設けるとともに、建築物の外壁面に垂直な方向に並ぶように設け、さらに、布材によって隣合う支柱を連結することによって構成されている。建築物の外壁面に垂直な方向に延びるように設けられる布材に足場板が取り付けられて仮設足場が構築される。
【０００３】
例えば特許文献１〜３に開示されているように、足場板は、足場板本体と、足場板本体の両側に設けられるフックとを備えている。フックを上方から布材に係合させることによって足場板本体を布材に掛け渡すようにして固定することができる。
【先行技術文献】
【特許文献】
【０００４】
【特許文献１】特開２０１７−６６６９７号公報
【特許文献２】実用新案登録第３１７９１６４号公報
【特許文献３】特開２０１９−１５０６７号公報
【発明の概要】
【発明が解決しようとする課題】
【０００５】
ところで、図１２に示すように、建築物１００が円筒状のタンクのようなものの場合、建築物１００の外壁面は円弧状に湾曲することになる。しかしながら、特許文献１〜３に開示されているように、足場板１０１は、直線状に延びているものなので、円弧状の外壁面に沿うように配設するのが困難である。実際の現場では、平面視で、円弧状の外壁面を囲む多角形の各辺を構成するように、直線状の足場板１０１を配設することで対応している。
【０００６】
ところが、そのようにした場合、足場板１０１の長さ方向中央部が外壁面に最も接近し、足場板１０１の長さ方向両端に近づくほど外壁面から離れることになり、建築物１００との隙間が大きくなる懸念がある。建築物１００との隙間を小さくするためには長さの短い足場板１０１を用意すればよいが、足場板１０１の長さは規格によって予め決められており、自由に設定するのは困難であるとともに、足場板１０１を短くすると、支柱の間隔も短くしなければならず、部材数が大幅に増加してしまう。
【０００７】
また、図１２に示すように、直線状の足場板１０１を多角形状に並べた場合、隣合う足場板１０１、１０１の対向する縁部１０１ａ、１０１ａの隙間が大きくなるという問題もあった。
【０００８】
本発明は、かかる点に鑑みてなされたものであり、その目的とするところは、湾曲した外壁面に沿った方向に並ぶように足場板を設ける場合に、足場板と外壁面との間に形成される隙間及び隣合う足場板の間に形成される隙間が小さくなるようにすることにある。
【課題を解決するための手段】
【０００９】
上記目的を達成するために、本発明では、足場板本体の長さ方向一側に対して角度調整可能に取り付けられる調整板材を設け、調整板材に、布材に係合する係合フックを取り付けるようにした。
【００１０】
第１の発明は、仮設足場用建枠を構成する一対の布材間に掛け渡されて各種作業を行うための作業床となる足場板において、一対の前記布材の離間方向に長い足場板本体と、前記足場板本体の長さ方向両側にそれぞれ配置される調整板材と、前記調整板材を前記足場板本体に対して上下方向に延びる軸周りに回動可能に連結する連結部材と、前記調整板材における前記足場板本体に連結される側とは反対側に設けられ、前記布材に係合する係合フックとを備え、前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、前記連結部材は、前記足場板本体の幅方向中央部を通り、前記上板部及び前記下板部と、前記足場板本体とを上下方向に貫通して前記下板部から下方へ突出するねじ軸を有する第１連結ボルトと、前記第１連結ボルトのねじ軸の下端部に螺合して、前記上板部及び前記下板部を前記足場板本体に締結する第１ナットとを備え、前記足場板は、前記足場板本体の幅方向中央部を通るねじ軸を有する第２連結ボルトと、第２ナットとをさらに備え、前記上板部及び前記下板部には、それぞれ、前記第２連結ボルトのねじ軸周りに延びる長孔が形成されており、前記第２連結ボルトのねじ軸は、前記上板部の前記長孔及び前記下板部の前記長孔と、前記足場板本体の幅方向中央部とを上下方向に貫通して前記下板部から下方へ突出し、前記第２ナットは、前記第２連結ボルトのねじ軸の下端部に螺合して、前記上板部及び前記下板部を前記足場板本体に締結することを特徴とする。
【００１１】
この構成によれば、調整板材を足場板本体に対して回動させることにより、足場板本体と調整板材とのなす角度が変化するので、例えば外壁面が湾曲している場合に、その曲率に合うように、足場板本体と調整板材とのなす角度を調整することが可能になる。そして、調整板材の係合フックを布材に係合させることで、足場板が一対の布材間に掛け渡されて各種作業を行うための作業床が構築される。このとき、湾曲した外壁面の曲率に合うように足場板本体と調整板材とのなす角度を調整しておけば、足場板と外壁面との間に形成される隙間が小さくなるとともに、隣合う足場板の間に形成される隙間も小さくなる。
【００１２】
第２の発明は、前記足場板本体の長さ方向一側縁部と他側縁部は、前記足場板本体の幅方向一側に向かって互いに接近するように形成されていることを特徴とする。
【００１３】
この構成によれば、調整板材をねじ軸周りに回動させる際の回動範囲が大きく確保される。
【００１４】
第３の発明は、前記調整板材の前記下板部の下面には、下方へ突出して該下面に沿って延びる補強材が固定されていることを特徴とする。
【００１５】
この構成によれば、調整板材の下板部が補強材によって補強される。この補強材が調整板材の下板部の下面から突出することになるので、調整板材の回動時に補強材が足場板本体と干渉することはない。
【発明の効果】
【００１６】
第１の発明によれば、足場板本体に対して上下方向に延びる軸周りに回動可能に連結される調整板材を設け、この調整板材における足場板本体に連結される側とは反対側に係合フックを設けたので、湾曲した外壁面に沿った方向に並ぶように足場板を設ける場合に、足場板と外壁面との間の隙間及び隣合う足場板の間の隙間を小さくすることができる。
【００１７】
第２の発明によれば、足場板本体の長さ方向一側縁部及び他側縁部を、足場板本体の幅方向一側に向かって互いに接近するように形成したことで、調整板材の回動範囲を広く確保することができる。
【００１８】
第３の発明によれば、調整板材の回動時に補強材が足場板本体と干渉しないようにしながら、調整板材の強度を高めることができる。
【図面の簡単な説明】
【００１９】
【図１】本発明の実施形態に係る足場板を上方から見た斜視図である。
【図２】足場板の平面図である。
【図３】足場板の正面図である。
【図４】足場板の分解斜視図である。
【図５】足場板本体の平面図である。
【図６】調整板材の正面図である。
【図７】調整板材を回動させた状態の図２相当図である。
【図８】実施形態の変形例に係る図１相当図である。
【図９】幅が異なる２種類の足場板を建築物の外壁面に垂直な方向に並ぶように設けた場合を示す平面図である。
【図１０】４つの足場板を外壁面に垂直な方向に並ぶように設けた場合を示す平面図である。
【図１１】外壁面の曲率が大きい場合の図１０相当図である。
【図１２】従来の足場板を円弧状に湾曲した外壁面に沿って並べた場合を示す平面図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係る足場板１の斜視図であり、図２は、足場板１の平面図である。足場板１は、例えば図１０に示す仮設足場用建枠Ａを構成する一対の布材２０１、２０１間に掛け渡されて各種作業を行うための作業床となる仮設足場構築部材である。足場板１は、図９に示すように、建築物１００の外壁面が円弧状に湾曲している場合に使用することができるが、このような建築物１００以外にも平坦な外壁面を有する建築物（図示せず）等にも使用することができる。作業床で行う作業としては、特に限定されるものではないが、例えば塗装、溶接、部材の組付や取付、測定、検査、点検等の各種作業を挙げることができる。
【００２２】
（足場板１の全体構成）
図１〜図４に示すように、足場板１は、一対の布材２０１、２０１（図９に示す）の離間方向に長い足場板本体１０と、足場板本体１０の長さ方向両側（一側及び他側）にそれぞれ配置される一側調整板材２０及び他側調整板材３０とを備えている。足場板本体１０の一側を図１等の左側とし、足場板本体１０の他側を図１等の右側とし、また、図２の下側を足場板本体１０の手前側とし、図２の上側を足場板本体１０の奥側とするが、これは説明の便宜を図るために定義するだけであり、実際の使用時の姿勢を限定するものではない。使用時にはどちら側が左であってもよいし、手前側や奥側も任意に設定することができる。また、手前側を正面側ということもでき、奥側を背面側ということもできる。また、足場板本体１０の幅方向一側を手前側とすることができ、足場板本体１０の幅方向他側を奥側とすることができる。足場板本体１０の左右方向を長さ方向と定義することもできる。
【００２３】
また、図３及び図４に示すように、足場板１は、一側調整板材２０を足場板本体１０の一側に連結するための一側第１連結ボルト４１、一側第２連結ボルト４２、一側第１ナット４３及び一側第２ナット４４を備えている。一側第１連結ボルト４１、一側第２連結ボルト４２、一側第１ナット４３及び一側第２ナット４４は、一側調整板材２０を足場板本体１０の一側に対して上下方向に延びる軸周りに回動可能に連結する連結部材である。
【００２４】
また、足場板１は、他側調整板材３０を足場板本体１０の他側に連結するための他側第１連結ボルト５１、他側第２連結ボルト５２、他側第１ナット５３及び他側第２ナット５４とを備えている。他側第１連結ボルト５１、他側第２連結ボルト５２、他側第１ナット５３及び他側第２ナット５４は、他側調整板材３０を足場板本体１０の他側に対して上下方向に延びる軸周りに回動可能に連結する連結部材である。連結部材の構成は上述したものに限られず、各種リベット等を連結部材とすることもできる。
【００２５】
さらに、一側調整板材２０における足場板本体１０に連結される側とは反対側には、布材２０１（図９に示す）に係合する一側係合フック２１、２１が設けられている。また、他側調整板材３０における足場板本体１０に連結される側とは反対側には、布材２０１に係合する他側係合フック３１、３１が設けられている。これら一側係合フック２１、２１及び他側係合フック３１、３１も足場板１を構成する部材である。一側係合フック２１、２１及び他側係合フック３１、３１は足場板１の長さ方向に突出するように配置されている。
【００２６】
（足場板本体１０の構成）
足場板本体１０は、例えば鋼板等で構成された部材であり、長さ方向の寸法や幅方向の寸法は、規格等に合わせて任意の寸法に設定することができる。また、足場板本体１０の厚みについても、強度を考慮して任意の寸法に設定することができる。
【００２７】
足場板本体１０は、設置状態で水平方向に延びるように配置される本体板部１１と、正面縦板部１２と、背面縦板部１３（図５に示す）と、一側縦板部１４と、他側縦板部１５とを備えている。本体板部１１、正面縦板部１２、背面縦板部１３、一側縦板部１４及び他側縦板部１５は一体成形されていてもよいし、互いに別部材で成形しておき、例えば溶接等により接合して一体化してもよい。
【００２８】
図５に示すように、本体板部１１の手前側の縁部１１ｃは、足場板本体１０の長さ方向に直線状に延びている。また、本体板部１１の奥側の縁部１１ｄも、足場板本体１０の長さ方向に直線状に延びおり、本体板部１１の手前側の縁部１１ｃと奥側の縁部１１ｄとは互いに略平行である。手前側の縁部１１ｃが奥側の縁部１１ｄに比べて短くなっている。正面縦板部１２は、本体板部１１の手前側の縁部１１ｃから下方へ延びるとともに、本体板部１１の長さ方向に連続して延びている。背面縦板部１３は、本体板部１１の奥側の縁部１１ｄから下方へ延びるとともに、本体板部１１の長さ方向に連続して延びている。正面縦板部１２と背面縦板部１３は互いに略平行である。
【００２９】
また、本体板部１１の長さ方向一側の縁部１１ｇは、奥側の縁部１１ｄから手前側へ向けて当該奥側の縁部１１ｄに対して略直角に延びる第１縁部１１ｅと、第１縁部１１ｅから手前側の縁部１１ｃまで延びる第２縁部１１ｆとで構成されている。第２縁部１１ｆは、足場板本体１０の手前側へ行くほど当該足場板本体１０の長さ方向他側に位置するように傾斜している。第１縁部１１ｅは、本体板部１１の幅方向中央部近傍まで延びている。
【００３０】
本体板部１１の長さ方向他側の縁部１１ｊも一側の縁部１１ｇと同様に構成されており、第１縁部１１ｈと第２縁部１１ｉとを有している。第１縁部１１ｈは、奥側の縁部１１ｄに対して略直角、即ち、一側の第１縁部１１ｅと略平行である。第２縁部１１ｉは、足場板本体１０の手前側へ行くほど当該足場板本体１０の長さ方向一側に位置するように傾斜している。つまり、足場板本体１０の長さ方向一側縁部（第２縁部１１ｆ）と他側縁部（第２縁部１１ｉ）が足場板本体１０の幅方向一側（手前側）に向かって互いに接近するように形成されている。これにより、足場板本体１０の長さは、手前側へ行くほど短くなる。
【００３１】
一側縦板部１４は、本体板部１１の長さ方向一側の縁部１１ｇから下方へ延びるとともに、本体板部１１の幅方向に連続して延びている。他側縦板部１５は、本体板部１１の長さ方向他側の縁部１１ｊから下方へ延びるとともに、本体板部１１の幅方向に連続して延びている。正面縦板部１２、背面縦板部１３、一側縦板部１４及び他側縦板部１５は互いに連続するように形成することができる。また、正面縦板部１２、背面縦板部１３、一側縦板部１４及び他側縦板部１５の下縁部は、同一平面上に位置している。
【００３２】
図１等に示すように、本体板部１１には、当該本体板部１１の長さ方向に直線状に延びる２つの凹条部１１ａ、１１ａが形成されている。一方の凹条部１１ａは、本体板部１１の幅方向一側に近い部位に設けられており、他方の凹条部１１ａは、本体板部１１の幅方向他側に近い部位に設けられている。凹条部１１ａ、１１ａの形成により、本体板部１１の強度が向上し、特に、本体板部１１における凹条部１１ａ、１１ａが形成された部位の強度が大幅に高まる。さらに、本体板部１１には、２つの凹条部１１ａ、１１ａの間に、当該本体板部１１の長さ方向に直線状に延びるスリット１１ｂが形成されている。スリット１１ｂは、本体板部１１の幅方向中央部に形成することができる。
【００３３】
図５に示すように、スリット１１ｂには、一側第１連結ボルト４１が挿通するとともに、一側第２連結ボルト４２が挿通するようになっている。また、スリット１１ｂには、他側第１連結ボルト５１が挿通するとともに、他側第２連結ボルト５２が挿通するようになっている。これにより、一側第１連結ボルト４１の軸部４１ｂ、一側第２連結ボルト４２の軸部４２ｂ、他側第１連結ボルト５１の軸部５１ｂ及び他側第２連結ボルト５２の軸部５２ｂが本体板部１１を貫通可能になる。
【００３４】
（一側調整板材２０の構成）
図３、図４や図６に示すように、一側調整板材２０は、足場板本体１０の上面に沿って延びる上板部２２と、足場板本体１０の下面に沿って延びる下板部２３と、上板部２２から下板部２３まで延び、上板部２２及び下板部２３を連結する連結板部２４とを備えている。尚、足場板本体１０の下面は、第２凹条部１１ｂの下面や、正面縦板部１２、背面縦板部１３、一側縦板部１４及び他側縦板部１５の下端部で構成することができる。上板部２２、下板部２３及び連結板部２４は、例えば鋼板等を用いて一体成形することができるが、それぞれを別部材で成形しておき、その後、溶接等で一体化することもできる。一側調整板材２０の上板部２２と下板部２３とで足場板本体１０を厚み方向に挟持することができるようになっている。
【００３５】
図１及び図２に示すように、上板部２２は、足場板本体１０の上面の所定範囲を覆うことができるように形成されており、後述する角度調整を行った際に、足場板本体１０と一側調整板材２０との間に形成される隙間を極小化するようにしている。上板部２２の奥側の縁部２２ｃは、足場板本体１０の長さ方向中央に近づくほど手前側に位置するように形成されている。これにより、後述する角度調整を行った際に、上板部２２の奥側の縁部２２ｃが足場板本体１０の奥側の縁部１１ｄ（図５に示す）から飛び出ないようにすることができる。
【００３６】
図４及び図６に示すように、上板部２２には、一側第１連結ボルト４１が挿通する一側第１挿通孔２２ａと、一側第２連結ボルト４２が挿通する一側第２挿通孔２２ｂとが形成されている。これにより、一側第１連結ボルト４１及び一側第２連結ボルト４２が上板部２２を上下方向に貫通可能になる。一側第１挿通孔２２ａは、一側第１連結ボルト４１の軸部４１ｂの断面形状に対応した円形である一方、一側第２挿通孔２２ｂは、一側第１連結ボルト４１の軸部４１ｂ周りに円弧状に延びる長孔で構成されている。
【００３７】
下板部２３の形状は上板部２２と同様である。下板部２３の奥側の縁部（図示せず）は、足場板本体１０の長さ方向中央に近づくほど手前側に位置するように形成されている。また、図６に示すように、下板部２３には、一側第１連結ボルト４１が挿通する一側第１挿通孔２３ａと、一側第２連結ボルト４２が挿通する一側第２挿通孔２３ｂとが形成されている。これにより、一側第１連結ボルト４１及び一側第２連結ボルト４２が下板部２３を上下方向に貫通可能になる。一側第１挿通孔２３ａは、一側第１連結ボルト４１の軸部４１ｂの断面形状に対応した円形である一方、一側第２挿通孔２３ｂは、一側第１連結ボルト４１の軸部４１ｂ周りに円弧状に延びる長孔で構成されている。
【００３８】
図３及び図６に示すように、下板部２３の下面には、下方へ突出して該下面に沿って延びる補強材２５が固定されている。補強材２５は、下板部２３を構成する材料と同じ材料で構成されている。補強材２５は、下板部２３における足場板本体１０に連結される側から連結板部２４側まで連続して延びている。補強材２５が下板部２３の下面から突出することになるので、後述する一側調整板材２０の回動時に補強材２５が足場板本体１０と干渉することはない。
【００３９】
連結板部２４は、上板部２２における足場板本体１０に連結される側とは反対側の縁部から、下板部２３における足場板本体１０に連結される側とは反対側の縁部まで上下方向に延びている。
【００４０】
図１や図２に示すように、一側調整板材２０における足場板本体１０に連結される側とは反対側には、一側係合フック２１を取り付けるための取付部２０ａ、２０ａが設けられている。各取付部２０ａに一側係合フック２１が締結固定されている。一側係合フック２１は、下方に開放するように形成されており、この開放部分から布材２０１（図９に示す）を挿入して一側係合フック２１を布材２０１に対して上方から引っ掛けることができるようになっている。
【００４１】
（他側調整板材３０の構成）
図１や図４に示すように、他側調整板材３０は、一側調整板材２０と左右対称構造となっている。すなわち、他側調整板材３０は、足場板本体１０の上面に沿って延びる上板部３２と、足場板本体１０の下面に沿って延びる下板部３３と、上板部３２から下板部３３まで延びる連結板部３４とを備えている。図４に示すように、上板部３２には、他側第１連結ボルト５１が挿通する他側第１挿通孔３２ａと、他側第２連結ボルト５２が挿通する他側第２挿通孔３２ｂとが形成されている。他側第１挿通孔３２ａは、他側第１連結ボルト５１の軸部５１ｂの断面形状に対応した円形である一方、他側第２挿通孔３２ｂは、他側第１連結ボルト５１の軸部５１ｂ周りに円弧状に延びる長孔で構成されている。図示しないが、下板部３３には、上板部３２と同様に、他側第１連結ボルト５１が挿通する他側第１挿通孔と、他側第２連結ボルト５２が挿通する他側第２挿通孔とが形成されている。
【００４２】
他側調整板材３０における足場板本体１０に連結される側とは反対側には、他側係合フック３１を取り付けるための取付部３０ａ、３０ａが設けられている。また、図３に示すように、下板部３３の下面には、補強材３５が固定されている。
【００４３】
（連結部材の構成）
図４に示すように、一側第１連結ボルト４１は、一側調整板材２０の上板部２２及び下板部２３と、足場板本体１０とを上下方向に貫通する貫通軸としての軸部４１ｂを有している。この軸部４１ｂは、上板部２２の一側第１挿通孔２２ａと、下板部２３の一側第１挿通孔２３ａ（図６に示す）と、足場板本体１０のスリット１１ｂとに挿通される挿通軸でもあり、これら挿通孔２２ａ、２３ａ、１１ｂに挿通された状態で下板部２３の下方へ突出するように形成されたねじ軸で構成されている。軸部４１ｂには、一側第１ナット４３が下方から螺合するようになっている。一側第１連結ボルト４１の軸部４１ｂは、一側調整板材２０を回動させる際の回動中心を形成することになる。
【００４４】
図１に示すように、一側第１連結ボルト４１の軸部４１ｂの基端部には、当該軸部４１ｂの径方向へ延出し、上板部２２の上面に沿うように形成されたフランジ形状部４１ａが設けられている。フランジ形状部４１ａは、円形にすることもできるし、多角形等にすることもできる。
【００４５】
図４に示すように、一側第２連結ボルト４２は、上板部２２及び下板部２３と、足場板本体１０とを上下方向に貫通する軸部４２ｂを有している。この軸部４２ｂは、上板部２２の一側第２挿通孔２２ｂと、下板部２３の一側第２挿通孔２３ｂ（図６に示す）と、足場板本体１０のスリット１１ｂ（図５に示す）とに挿通される挿通軸でもあり、これらに挿通された状態で下板部２３の下方へ突出するように形成されたねじ軸で構成されている。軸部４２ｂには、一側第２ナット４４が下方から螺合するようになっている。図１に示すように、一側第２連結ボルト４２にもフランジ形状部４２ａが設けられている。
【００４６】
図４に示すように、他側第１連結ボルト５１は、一側第１連結ボルト４１と同様に構成されており、他側調整板材３０の上板部３２の他側第１挿通孔３２ａと、下板部３３の他側第１挿通孔（図示せず）と、足場板本体１０のスリット１１ｂ（図５に示す）とに挿通される軸部５１ｂを有している。図１に示すように、他側第１連結ボルト５１の軸部５１ｂの基端部には、上板部３２の上面に沿うように形成されたフランジ形状部５１ａが設けられている。軸部５１ｂには、図４に示す他側第１ナット５３が下方から螺合するようになっている。
【００４７】
他側第２連結ボルト５２は、一側第２連結ボルト４２と同様に構成されており、他側調整板材３０の上板部３２の他側第２挿通孔３２ｂと、下板部３３の他側第２挿通孔（図示せず）と、足場板本体１０のスリット１１ｂとに挿通される軸部５２ｂを有している。図１に示すように、他側第２連結ボルト５２の軸部５２ｂの基端部には、上板部３２の上面に沿うように形成されたフランジ形状部５２ａが設けられている。軸部５２ｂには、他側第２ナット５４が下方から螺合するようになっている。
【００４８】
（調整板材２０、３０の取付要領）
一側調整板材２０は、一側第１連結ボルト４１、一側第２連結ボルト４２、一側第１ナット４３及び一側第２ナット４４によって足場板本体１０に取り付けられる。まず、一側調整板材２０の上板部２２と下板部２３との間に足場板本体１０を差し込む。その後、上方から見て、一側調整板材２０の一側第１挿通孔２２ａ（図４に示す）と、足場板本体１０のスリット１１ｂ（図５に示す）とを一致させるとともに、一側調整板材２０の一側第２挿通孔２２ｂの長手方向の一部と、足場板本体１０のスリット１１ｂとを一致させる。これにより、下板部２３の一側第１挿通孔２３ａ及び一側第２挿通孔２３ｂ（図６に示す）も、足場板本体１０のスリット１１ｂと一致するようになる。
【００４９】
次いで、一側第１連結ボルト４１の軸部４１ｂを、一側第１挿通孔２２ａ、スリット１１ｂ及び一側第１挿通孔２３ａに挿通させ、軸部４１ｂに一側第１ナット４３を螺合させる。また、一側第２連結ボルト４２の軸部４２ｂを、一側第２挿通孔２２ｂ、スリット１１ｂ及び一側第２挿通孔２３ｂに挿通させ、軸部４２ｂに一側第２ナット４４を螺合させる。一側第１ナット４３及び一側第２ナット４４を締め込むことにより、一側調整板材２０の上板部２２と下板部２３とで足場板本体１０を厚み方向に強く挟持することができ、一側調整板材２０が足場板本体１０に対して回動しなくなる。
【００５０】
一方、他側調整板材３０は、他側第１連結ボルト５１、他側第２連結ボルト５２、他側第１ナット５３及び他側第２ナット５４によって一側調整板材２０と同様に足場板本体１０に取り付けられる。すなわち、他側第１連結ボルト５１の軸部５１ａを、他側調整板材３０の上板部３２の他側第１挿通孔３２ａと、足場板本体１０のスリット１１ｂと、他側調整板材３０の下板部３３の他側第１挿通孔（図示せず）とに挿通させ、軸部５１ａに他側第１ナット５３を螺合させる。また、他側第２連結ボルト５２の軸部５２ａを、他側調整板材３０の上板部３２の他側第２挿通孔３２ｂと、足場板本体１０のスリット１１ｂと、他側調整板材３０の下板部３３の他側第２挿通孔（図示せず）とに挿通させ、軸部５２ａに他側第２ナット５４を螺合させる。
【００５１】
（実施形態の変形例）
図８は、本発明の実施形態の変形例に係る足場板１を示すものである。この変形例に係る足場板１の構造は上述した実施形態と同じであるが、幅が狭く形成されていて、長さは若干短くなっている点で異なっている。このように足場板１の幅や長さは変更することができ、幅や長さを変更しても同様な構造とすることができる。
【００５２】
（足場板１の使用要領）
次に、足場板１の使用要領について説明する。図９は、上記実施形態の足場板１と、変形例の足場板１とを、建築物１００の外壁面に垂直な方向に並ぶように設けた場合を示している。建築物１００は円筒状のタンク等であり、外壁面が円弧状に湾曲している。
【００５３】
一側調整板材２０を固定している一側第１ナット４３及び一側第２ナット４４を緩めることで、一側調整板材２０は、一側第１連結ボルト４１の軸部４１ｂを回動中心として足場板本体１０に対して回動可能になる。図２は、一側調整板材２０が足場板本体１０に対して回動していない初期状態を示しており、この初期状態の足場板１を使用することもできる。初期状態の足場板１は、回動機構を有していない一般的な足場板と同じように使用できる。
【００５４】
図７は、一側調整板材２０が足場板本体１０に対して回動した状態を示しており、このように一側調整板材２０と足場板本体１０との角度調整を行うことができる。図７に示す状態で一側第１ナット４３及び一側第２ナット４４を締めることにより、一側調整板材２０を足場板本体１０に対して固定することができる。一側調整板材２０の回動範囲は、一側第２挿通孔２２ｂの長さによって設定することができる。一側調整板材２０を足場板本体１０に対して回動させると、一側第２連結ボルト４２の軸部４２ｂが一側第２挿通孔２２ｂの長手方向の縁部に当接し、それ以上、一側調整板材２０を回動させることができなくなる。また、一側調整板材２０は足場板本体１０に対して無段階に回動させることができる。他側調整板材３０についても同様である。
【００５５】
図１０は、仮設足場用建枠Ａに足場板１を取り付けた状態を示している。仮設足場用建枠Ａは、複数本の支柱２００を建築物１００の外壁面に沿った方向に並ぶように設けるとともに、建築物１００の外壁面に垂直な方向に並ぶように設け、さらに、布材２０１、２０２によって隣合う支柱２００、２００を連結することによって構成されている。布材２０２は、建築物１００の外壁面に沿った方向に並ぶ支柱２００、２００を連結する部材である。一方、布材２０１は、建築物１００の外壁面に垂直な方向に並ぶ支柱２００、２００を連結する部材である。本実施形態に係る足場板１を設ける場合、図示するように、一対の布材２０１、２０１を、建築物１００の外壁面に近づくほど互いに接近するように配置しておく。一方、一般的な従来の足場板３００を設ける場合、一対の布材２０１、２０１を互いに平行となるように配置しておく。
【００５６】
足場板１の一側調整板材２０及び他側調整板材３０を足場板本体１０に対して回動させることにより、一側係合フック２１、２１の位置及び他側係合フック３１、３１の位置を調整し、布材２０１に係合可能な位置に配置する。その後、一側調整板材２０及び他側調整板材３０を足場板本体１０に対して固定する。
【００５７】
次いで、足場板１の一側係合フック２１、２１及び他側係合フック３１、３１を布材２０１、２０１に係合させる。これにより、足場板１の設置が完了する。他の足場板１についても同様にして設置することができる。
【００５８】
図１１は、建築物１００の外壁面の曲率が図１０に示す場合に比べて大きい状態を示している。このように、建築物１００の外壁面の曲率が変わっても、足場板１の一側調整板材２０及び他側調整板材３０を足場板本体１０に対して回動させることで容易に対応することができる。足場板１は、建築物１００の外壁面に沿った方向に並ぶように設置することもできる。
【００５９】
（実施形態の作用効果）
以上説明したように、この実施形態に係る足場板１によれば、一側調整板材２０及び他側調整板材３０を足場板本体１０に対して回動させたり揺動させることにより、足場板本体１０と調整板材２０、３０とのなす角度が変化するので、建築物１００の外壁面が湾曲している場合に、その曲率に合うように、足場板本体１０と調整板材２０、３０とのなす角度を調整することが可能になる。そして、一側調整板材２０及び他側調整板材３０の係合フック２１、３１を布材２０１、２０１に係合させることで、足場板１が一対の布材２０１、２０１間に掛け渡されて各種作業を行うための作業床が構築される。このとき、外壁面の曲率に合うように足場板本体１０と調整板材２０、３０とのなす角度を調整しておけば、足場板１と外壁面との間の隙間が小さくなるとともに、隣合う足場板１、１の間の隙間も小さくなる。
【００６０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００６１】
以上説明したように、本発明に係る足場板は、例えば各種作業を行うための作業床を構築する場合に使用することができる。
【符号の説明】
【００６２】
１            足場板
１０          足場板本体
１１ａ        凹条部
１１ｂ        第２凹条部
２０          一側調整板材
２１          係合フック
２２          上板部
２２ｂ        一側第２挿通孔（長孔）
２３          下板部
２４          連結板部
２５          補強材
３０          他側調整板材
４１          一側第１連結ボルト（連結部材）
４１ａ        フランジ形状部
４１ｂ        軸部（貫通軸）
４２          一側第２連結ボルト（連結部材）
４２ａ        フランジ形状部
４２ｂ        軸部（挿通軸、ねじ軸）
４３          一側第１ナット（連結部材）
４４          一側第２ナット（連結部材）
２０１        布材
Ａ            仮設足場用建枠
【手続補正２】
【補正対象書類名】特許請求の範囲
【補正対象項目名】全文
【補正方法】変更
【補正の内容】
【特許請求の範囲】
【請求項１】
仮設足場用建枠を構成する一対の布材間に掛け渡されて各種作業を行うための作業床となる足場板において、
一対の前記布材の離間方向に長い足場板本体と、
前記足場板本体の長さ方向両側にそれぞれ配置される調整板材と、
前記調整板材を前記足場板本体に対して上下方向に延びる軸周りに回動可能に連結する連結部材と、
前記調整板材における前記足場板本体に連結される側とは反対側に設けられ、前記布材に係合する係合フックとを備え、
前記調整板材は、前記足場板本体の上面に沿って延びる上板部と、前記足場板本体の下面に沿って延びる下板部と、前記上板部から前記下板部まで延び、前記上板部及び前記下板部を連結する連結板部とを備え、
前記連結部材は、前記足場板本体の幅方向中央部を通り、前記上板部及び前記下板部と、前記足場板本体とを上下方向に貫通して前記下板部から下方へ突出するねじ軸を有する第１連結ボルトと、前記第１連結ボルトのねじ軸の下端部に螺合して、前記上板部及び前記下板部を前記足場板本体に締結する第１ナットとを備え、
前記足場板は、前記足場板本体の幅方向中央部を通るねじ軸を有する第２連結ボルトと、第２ナットとをさらに備え、
前記上板部及び前記下板部には、それぞれ、前記第２連結ボルトのねじ軸周りに延びる長孔が形成されており、
前記第２連結ボルトのねじ軸は、前記上板部の前記長孔及び前記下板部の前記長孔と、前記足場板本体の幅方向中央部とを上下方向に貫通して前記下板部から下方へ突出し、
前記第２ナットは、前記第２連結ボルトのねじ軸の下端部に螺合して、前記上板部及び前記下板部を前記足場板本体に締結することを特徴とする足場板。
【請求項２】
請求項１に記載の足場板において、
前記足場板本体の長さ方向一側縁部と他側縁部は、前記足場板本体の幅方向一側に向かって互いに接近するように形成されていることを特徴とする足場板。
【請求項３】
請求項１または２に記載の足場板において、
前記調整板材の前記下板部の下面には、下方へ突出して該下面に沿って延びる補強材が固定されていることを特徴とする足場板。